(57)【要約】【課題】照準器のレチクルパターンの照明を調節できる照明系を提供すること。【解決手段】本発明の照準器は、ハウジング、前記ハウジングによって支持された少なくとも１つの光学機器、および前記ハウジングによって支持され前記少なくとも１つの光学機器に光を供給するファイバーを含むことができる。スリーブが前記ハウジングによって支持されていても良い。また、前記スリーブは、少なくとも１つの光学機器へ供給される光量を変化させるためにファイバーを選択的に露出する開口部、および前記開口部を被い前記ファイバーに対してスリーブとともに可動するカバーを含んでも良い。【選択図】図１
2010528251.tif 000002
【特許請求の範囲】
【請求項１】
ハウジング、
前記ハウジングによって支持された少なくとも１つの光学機器、
前記ハウジングによって支持され、前記少なくとも１つの光学機器へ選択的に光を供給するファイバー、および
前記ハウジングによって支持されるスリーブであって、前記ファイバーを選択的に露出する開口および前記少なくとも１つの光学機器へ供給される光量を変えるために、前記ファイバーに対して前記スリーブを用いて、前記開口に広がりかつ動かすことが可能なカバーを含むスリーブ、
を含む光学照準器。
【請求項２】
前記カバーは前記ファイバーから離間していることを特徴とする、請求項１に記載の光学照準器。
【請求項３】
前記カバーは、光がそこを通過することが可能な透明材料または半透明材料のうちの１つから形成されていることを特徴とする、請求項１に記載の光学照準器。
【請求項４】
前記ファイバーは前記ハウジングに巻かれていることを特徴とする、請求項１に記載の光学照準器。
【請求項５】
前記ファイバーは前記ハウジングの全周囲に巻かれていることを特徴とする、請求項１に記載の光学照準器。
【請求項６】
前記スリーブは光が前記ファイバーに達しないように前記ファイバー上に配置されているボディを含むことを特徴とする、請求項１に記載の光学照準器。
【請求項７】
前記ファイバーは、第１の部分であって前記第１の部分で光が集められることを防ぐコーティングを有する第１の部分を含み、かつ第２の部分であって前記第２の部分で前記ファイバーが光を集めることができるように露出される第２の部分を含むことを特徴とする、請求項１に記載の光学照準器。
【請求項８】
前記ファイバーが光を集めることができないように前記第１の部分上に前記開口を選択的に配置するために、また前記ファイバーが光を集めることができないように前記第２の部分上に前記開口を選択的に配置するために、前記スリーブは前記ハウジングに対して回転可能であることを特徴とする、請求項７に記載の光学照準器。
【請求項９】
前記ファイバーによって集められる光量を調節するために前記第１の部分および前記第２の部分のうちの少なくとも１つの上に前記開口を選択的に配置するために、前記スリーブは前記ハウジングに対して回転可能であることを特徴とする、請求項７に記載の光学照準器。
【請求項１０】
前記の少なくとも１つの光学機器はプリズムであることを特徴とする、請求項１に記載の光学照準器。
【請求項１１】
前記プリズムは、その表面に形成され、前記ファイバーによって選択的に照らされたパターンを含むことを特徴とする、請求項１０に記載の光学照準器。
【請求項１２】
前記カバーおよび前記スリーブの間に屑の侵入を防ぐために、前記カバーに付随したシールをさらに含むことを特徴とする、請求項１に記載の光学照準器。
【請求項１３】
前記シールは気密シールであることを特徴とする、請求項１２に記載の光学照準器。
【請求項１４】
前記ハウジングに対して前記スリーブの動作を補助するために、前記スリーブ上に形成された一連の突起をさらに含むことを特徴とする、請求項１に記載の光学照準器。
【請求項１５】
ハウジング、
前記ハウジングによって支持された少なくとも１つの光学機器、
前記ハウジングによって支持され、前記少なくとも１つの光学機器へ光を選択的に供給するファイバーであって、前記ハウジングの全周囲に巻かれたファイバー、並びに
前記ハウジングによって支持されたスリーブであって、前記少なくとも１つの光学機器へ供給される光量を変化させるために、前記ファイバーを選択的に露出する開口、および前記ファイバーに対して前記カバーを動かすことができるように前記ファイバーから離間し、前記開口上に広がっているカバーを含むスリーブ、
を含む光学照準器。
【請求項１６】
前記カバーは透明材料または半透明材料のうちの１つから形成され、そこを通して光が通過できることを特徴とする、請求項１５に記載の光学照準器。
【請求項１７】
光が前記ファイバーに到達することを防ぐために、前記スリーブは前記ファイバー上に配置されるボディを含むことを特徴とする、請求項１５に記載の光学照準器。
【請求項１８】
前記ファイバーは、第１の部分であって前記第１の部分で光が集められることを防ぐコーティングを有する第１の部分を含み、かつ第２の部分であって前記第２の部分で前記ファイバーが光を集めることができるように露出される第２の部分を含むことを特徴とする、請求項１５に記載の光学照準器。
【請求項１９】
前記ファイバーが光を集めることができないように前記第１の部分上に前記開口を選択的に配置するため、また前記ファイバーが光を集めることができないように、前記第２の部分上に前記開口を選択的に配置するために、前記スリーブは前記ハウジングに対して回転可能であることを特徴とする、請求項１８に記載の光学照準器。
【請求項２０】
前記ファイバーによって集められる光量を調節するように前記第１の部分および前記第２の部分の少なくとも１つの上に前記開口を選択的に配置するために、前記スリーブは前記ハウジングに対して回転可能であることを特徴とする、請求項１８に記載の光学照準器。
【請求項２１】
前記少なくとも１つの光学機器はプリズムであることを特徴とする、請求項１５に記載の光学照準器。
【請求項２２】
前記プリズムはその表面に形成され、前記ファイバーによって照らされたパターンを含むことを特徴とする、請求項２１に記載の光学照準器。
【請求項２３】
前記カバーおよび前記スリーブの間に屑の侵入を防ぐために、前記カバーに付随したシールをさらに含むことを特徴とする、請求項１５に記載の光学照準器。
【請求項２４】
前記シールは気密シールであることを特徴とする、請求項２３に記載の光学照準器。
【請求項２５】
前記ハウジングに対して前記スリーブの動作を補助するために、前記スリーブ上に形成された一連の突起をさらに含むことを特徴とする、請求項１５に記載の光学照準器。
【請求項２６】
ハウジング、
前記ハウジングによって支持された少なくとも１つの光学機器、
前記少なくとも１つの光学機器に付随し、少なくとも１つの光学機器に光を選択的に供給する照明素子であって、第１の光源に付随した第１のファイバーおよび第２の光源に付随した第２のファイバーを含む照明素子、並びに
前記第１の光源および前記第２の光源の少なくとも１つから前記少なくとも１つの光学機器に光を供給するために、前記第１のファイバーおよび第２のファイバーを連結するカプラー
を含む光学照準器。
【請求項２７】
前記カプラーに取り付けられ、前記第１の光源および前記第２の光源の少なくとも１つから光を受ける第３のファイバーをさらに含むことを特徴とする、請求項２６に記載の光学照準器。
【請求項２８】
前記第３のファイバーはブラックジャケット・ファイバーであることを特徴とする、請求項２７に記載の光学照準器。
【請求項２９】
前記第３のファイバーは、前記第１のファイバーの端部および前記第２のファイバーの端部に取り付けられることを特徴とする、請求項２８に記載の光学照準器。
【請求項３０】
前記第１のファイバーおよび前記第２のファイバーに取り付けられたボールレンズをさらに含み、前記第３のファイバーは、前記ボールレンズにより前記第１の光源および前記第２の光源の少なくとも１つから光を受けることを特徴とする、請求項２８に記載の光学照準器。
【請求項３１】
前記第３のファイバーは前記ボールレンズに取り付けられることを特徴とする、請求項３０に記載の光学照準器。
【請求項３２】
前記第１のファイバーおよび前記第２のファイバーのうちの１つは、前記第３のファイバー並びに前記第１のファイバーおよび前記第２のファイバーのうちの他方に対して垂直であることを特徴とする、請求項２８に記載の光学照準器。
【請求項３３】
前記第１のファイバーおよび前記第２のファイバーのうちの前記の１つの端部は、前記第１の光源および前記第２の光源の１つから光を受ける少なくとも１つの傾斜面を含み、前記受けた光を前記第３のファイバーへ導くことを特徴とする、請求項３２に記載の光学照準器。
【請求項３４】
前記第１のファイバーは前記第２のファイバーに平行であり、前記第１のファイバーおよび前記第２のファイバーの各々は前記第３のファイバーの端部に取り付けられていることを特徴とする、請求項２８に記載の光学照準器。
【請求項３５】
前記第１のファイバーおよび前記第２のファイバーのうちの１つはLEDから光を受け、前記第１のファイバーおよび前記第２のファイバーのうちの他方はトリチウムランプから光を受けることを特徴とする、請求項２６に記載の光学照準器。
【請求項３６】
前記第１のファイバーおよび前記第２のファイバーのうちの１つは、光を集め伝送するように操作可能な蛍光性ファイバーであることを特徴とする、請求項３５に記載の光学照準器。
【請求項３７】
前記第１のファイバーの端部および前記第２のファイバーの端部は前記カプラー内で受け取られ、前記カプラーは前記第１のファイバーおよび前記第２のファイバーから光を合わせることを特徴とする、請求項２６に記載の光学照準器。
【請求項３８】
前記カプラー内で受け取られ、前記第１のファイバーおよび前記第２のファイバーの少なくとも１つから光を受ける端部を有する第３のファイバーをさらに含むことを特徴とする、請求項３７に記載の光学照準器。
【請求項３９】
前記少なくとも１つの光学機器はプリズムであることを特徴とする、請求項２６に記載の光学照準器。
【請求項４０】
第１端部で前記カプラーに取り付けられ、第２端部で前記少なくとも１つの光学機器に取り付けられた第３のファイバーをさらに含み、前記第３のファイバーは、少なくとも前記第１のファイバーおよび前記第２のファイバーの少なくとも１つから前記少なくとも１つの光学機器へ光を受けて伝送するように操作可能であることを特徴とする、請求項２６に記載の光学照準器。
【請求項４１】
前記少なくとも１つの光学機器はプリズムであることを特徴とする、請求項４０に記載の光学照準器。
【請求項４２】
前記少なくとも１つの光学機器はその表面に形成されたパターンを持つプリズムであり、前記パターンは前記第３のファイバーによって選択的に照らされることを特徴とする、請求項４０に記載の光学照準器。
【請求項４３】
前記少なくとも１つの光学機器はファイバーポストであることを特徴とする、請求項２６に記載の光学照準器。
【請求項４４】
第１端部で前記カプラーに取り付けられ、第２端部で前記ファイバーポスト取り付けられた第３のファイバーをさらに含み、前記第３のファイバーは、少なくとも前記第１のファイバーおよび前記第２のファイバーの少なくとも１つから前記ファイバーポストへ光を受けて伝送するように操作可能であることを特徴とする、請求項４３に記載の光学照準器。
【請求項４５】
前記ファイバーポストは少なくとも１つの傾斜面を含むことを特徴とする、請求項４３に記載の光学照準器。
【請求項４６】
前記第１のファイバーおよび前記第２のファイバーのうちの１つは、前記ハウジングの全周囲に巻かれていることを特徴とする、請求項２６に記載の光学照準器。
【請求項４７】
ハウジング、
前記ハウジングによって支持された少なくとも１つの光学機器、
前記少なくとも１つの光学機器に付随し、前記少なくとも１つの光学機器へ光を選択的に供給するＬＥＤおよびトリチウムランプを含んでいる照明素子、並びに
周囲条件に基づいて前記少なくとも１つの光学機器を照らすために、前記照明素子に付随し、前記ＬＥＤおよび前記トリチウムランプの組合せを選択するように操作できるコントローラー
を含む光学照準器。
【請求項４８】
光を集め、少なくとも１つの光学機器へ前記制御された光を供給するように操作可能なファイバーをさらに含むことを特徴とする、請求項４７に記載の光学照準器。
【請求項４９】
前記ファイバーは蛍光性ファイバーであることを特徴とする、請求項４８に記載の光学照準器。
【請求項５０】
前記ファイバーは前記ファイバーの全周囲に巻かれていることを特徴とする、請求項４８に記載の光学照準器。
【請求項５１】
前記ＬＥＤ、前記トリチウムランプ、および前記ファイバーからの光を結合し、前記結合された光を前記少なくとも１つの光学機器へ供給するように、操作可能なカプラーをさらに含むことを特徴とする、請求項４７に記載の光学照準器。
【請求項５２】
前記カプラーに取り付けられ、前記少なくとも１つの光学機器へ前記結合された光を伝送するように操作可能なブラックジャケット・ファイバーをさらに含むことを特徴とする、請求項５１に記載の光学照準器。
【請求項５３】
前記少なくとも１つの光学機器へ供給される光量を調節するために、前記ＬＥＤ、前記トリチウムランプ、および前記蛍光性ファイバーの少なくとも１つを手動調節することができるユーザーインターフェースをさらに含むことを特徴とする、請求項４９に記載の光学照準器。
【請求項５４】
前記少なくとも１つの光学機器はプリズムであることを特徴とする、請求項４８に記載の光学照準器。
【請求項５５】
前記少なくとも１つの光学機器へ供給される光量を調節するために、前記ＬＥＤおよび前記トリチウムランプの少なくとも１つを手動調節することができるユーザーインターフェースをさらに含むことを特徴とする、請求項４８に記載の光学照準器。
【請求項５６】
前記少なくとも１つの光学機器はファイバーポストであることを特徴とする、請求項４８に記載の光学照準器。
【請求項５７】
ハウジング、
前記ハウジングによって支持された少なくとも１つの光学機器、
前記少なくとも１つの光学機器に付随し、前記少なくとも１つの光学機器へ光を選択的に供給する照明素子であって、前記第１の光源に付随した第１のファイバーを含む照明素子、
前記第１のファイバーから光を集め、前記少なくとも１つの光学機器に前記第１の光源から光を供給するカプラー、並びに
前記少なくとも１つの光学機器に付随し、前記少なくとも１つの光学機器に光を選択的に供給するエレクトロルミネッセント素子
を含む光学照準器。
【請求項５８】
前記エレクトロルミネッセント素子は、ＬＥＤ、エレクトロルミネッセント薄膜、またはエレクトロルミネッセント・ワイヤであることを特徴とする、請求項５７に記載の光学照準器。
【請求項５９】
前記第１のファイバーは蛍光性ファイバーであることを特徴とする、請求項５７に記載の光学照準器。
【請求項６０】
前記第１のファイバーに取り付けられたトリチウムランプをさらに含むことを特徴とする、請求項５９に記載の光学照準器。
【請求項６１】
前記第１のファイバーから光を受ける第２のファイバーをさらに含むことを特徴とする、請求項５７に記載の光学照準器。
【請求項６２】
前記第２のファイバーはブラックジャケット・ファイバーであることを特徴とする、請求項６１に記載の光学照準器。
【請求項６３】
前記第２のファイバーは前記第１のファイバーの端部に取り付けられることを特徴とする、請求項６１に記載の光学照準器。
【請求項６４】
前記少なくとも１つの光学機器はプリズムであることを特徴とする、請求項５７に記載の光学照準器。
【請求項６５】
前記少なくとも１つの光学機器に形成されるデータ表示をさらに含むことを特徴とする、請求項５７に記載の光学照準器。
【請求項６６】
前記第１のファイバーは前記ハウジングの全周囲に巻かれていることを特徴とする、請求項５７に記載の光学照準器。
【請求項６７】
ハウジング、
前記ハウジングによって支持された少なくとも１つの光学機器、
前記少なくとも１つの光学機器に付随し、前記少なくとも１つの光学機器へ光を選択的に供給する照明素子であって、前記第１の光源に付随した第１のファイバーを含む照明素子、並びに
前記少なくとも１つの光学機器に付随したデータ表示
を含む光学照準器
【請求項６８】
前記第１のファイバーは蛍光性ファイバーであることを特徴とする、請求項６７に記載の光学照準器。
【請求項６９】
前記第１のファイバーに取り付けられたトリチウムランプをさらに含むことを特徴とする、請求項６８に記載の光学照準器。
【請求項７０】
前記第１のファイバーから光を受ける第２のファイバーをさらに含むことを特徴とする、請求項６７に記載の光学照準器。
【請求項７１】
前記第２のファイバーはブラックジャケット・ファイバーであることを特徴とする、請求項７０に記載の光学照準器。
【請求項７２】
前記第２のファイバーは前記第１のファイバーの端部に取り付けられていることを特徴とする、請求項７０に記載の光学照準器。
【請求項７３】
前記少なくとも１つの光学機器はプリズムであることを特徴とする、請求項６７に記載の光学照準器。
【請求項７４】
前記データ表示は前記少なくとも１つの光学機器の面に形成されていることを特徴とする、請求項６７に記載の光学照準器。
【請求項７５】
前記データ表示は前記少なくとも１つの光学機器の面に配置されたコーティングに刻まれていることを特徴とする、請求項６７に記載の光学照準器。
【請求項７６】
前記データ表示は二色性コーティングを含むことを特徴とする、請求項６７に記載の光学照準器。
【請求項７７】
前記第１のファイバーは前記ハウジングの全周囲に巻かれていることを特徴とする、請求項６７に記載の光学照準器。
【発明の詳細な説明】
【技術分野】
【０００１】
本発明は、照準器、特に銃器に使用されるガン照準器に関するものである。本出願は2007年5月22日に出願したUS仮出願60/939483の利益を主張する。前記出願の開示は参照することにより本出願に含まれる。
【０００２】
本出願は2007年5月22日に出願したUS仮出願60/939483の利益を主張する。上記出願の開示は参照することにより本出願に含まれる。
【背景技術】
【０００３】
この項における記述は、本発明に関連する背景情報を提供するだけであり、先行技術を構成するものではない。
【０００４】
照準器は、ユーザー（使用者）がもっと明瞭にターゲット（目標物）を見ることができるように、従来からガンおよび／またはライフルのような銃器と使用される。従来の照準器は、像を拡大するレンズ系を含み、ユーザーが銃器の銃身に対して拡大されたターゲットを合わせることができるレチクルを備える。照準器を銃身と適切に位置合わせし、ターゲットの拡大された像を照準器のレチクルパターンと適切に合わせることによって、ユーザーは銃身およびその結果としてそこから放たれる発射体をターゲットと位置合わせすることができる。
【発明の概要】
【発明が解決しようとする課題】
【０００５】
従来の照準器は像を適切に拡大し拡大像を銃身と適切に合わせるることができるが、従来の照準器は、照準器のレチクルパターンの照明を調節できる照明系を備えていない。さらに、従来の照準器はレチクルパターンを照らす照明系を持つものがあるが、その種のシステムは通常複合電源を持たないし環境条件を保証していない。
【課題を解決するための手段】
【０００６】
本発明の概要は以下の通りである。
照準器が備わっていて、その照準器（optical  sight、以下光学照準器または単に照準器という）は、ハウジング（筺体）、ハウジングによって支持された少なくとも１つの光学機器、および前記ハウジングによって支持され前記少なくとも１つの光学機器に光を供給するファイバーを含むことができる。スリーブ（軸ざや）が前記ハウジングによって支持されていても良い。また、前記スリーブは、少なくとも１つの光学機器へ供給される光量を変化させるためにファイバーを選択的に露出する開口（部）、および前記開口を被い前記ファイバーに対してスリーブとともに可動するカバーを含んでも良い。
【０００７】
光学照準器が備わっていて、その光学照準器は、ハウジング、前記ハウジングによって支持された少なくとも１つの光学機器、およびハウジングによって支持されたファイバーを有しても良い。この結果ファイバーは、少なくとも１つの光学機器へ選択的に光を供給し、ハウジングの全周囲に巻かれている。スリーブがハウジングによって支持されていても良い。そのスリーブは、少なくとも１つの光学機器へ供給される光量を変化させるために選択的にファイバーを露出する開口、およびその開口を被うカバーであってファイバーに対してカバーを動かせるようにファイバーから離間したカバーを有していても良い。
【０００８】
光学照準器が備わっていて、その光学照準器は、ハウジング、前記ハウジングによって支持された少なくとも１つの光学機器、およびその少なくとも１つの光学機器（optic）に光を選択的に供給する少なくとも１つの光学機器に取り付けられた照明素子を含んでも良い。その照明素子は第１の光源に付随した第１のファイバーおよび第２の光源に付随した第２のファイバーを有していても良い。カプラーにより第１のファイバーおよび第２のファイバーを連結しても良く、そのカプラーが、少なくとも１つの第１の光源と第２の光源から少なくとも１つの光学機器に光を供給しても良い。
【０００９】
光学照準器が備わっていて、その光学照準器は、ハウジング、前記ハウジングによって支持された少なくとも１つの光学機器、その少なくとも１つの光学機器に付随した照明素子を含んでも良い。その照明素子は、少なくとも１つの光学機器に選択的に光を供給するLEDおよびトリチウムランプを含んでも良い。コントローラー（制御装置）が照明素子に取り付けられていても良く、そのコントローラーにより、周囲の条件に基づいて、少なくとも１つの光学機器を照らすためにLEDおよびトリチウムランプの組合せを選択することも可能である。
【００１０】
光学照準器が備わっていて、その光学照準器は、ハウジング、前記ハウジングによって支持された少なくとも１つの光学機器、およびその少なくとも１つの光学機器に光を選択的に供給する少なくとも１つの光学機器に付随した照明素子を有していても良い。その照明素子は第1の光源に付随した第1のファイバーを含んでも良い。カプラーにより、第1のファイバーから光を集めて少なくとも１つの光学機器に光を供給しても良い。エレクトロルミネセント素子が少なくとも１つの光学機器に取り付けられても良く、その少なくとも１つの光学機器に選択的に光を供給しても良い。
【００１１】
光学照準器が備わっていて、その光学照準器は、ハウジング、前記ハウジングによって支持された少なくとも１つの光学機器、およびその少なくとも１つの光学機器に光を選択的に供給する少なくとも１つの光学機器に付随した照明素子を有していても良い。その照明素子は第1の光源に付随した第1のファイバーを有していても良い。データ表示が少なくとも１つの光学機器に取り付けられても良い。
【００１２】
追加的な適用領域は本出願に提供される記載から明らかになるであろう。その記載および具体例は、例示の目的のためにのみ意図されたのであって、本発明の開示の範囲を限定することを意図したものではない。
【図面の簡単な説明】
【００１３】
図面は本発明を説明するために用いられているだけであり、本発明の開示の範囲を制限することを意図しているわけではない。
【図１】図１は、本発明の教示の原則に従って照準器を組み込んだ銃器の部分斜視図である。
【図２】図２は、図１の２−２の線に沿って得られた図１の照準器の断面図である。
【図３】図３は、図１の３−３の線に沿って得られた図１の照準器の断面図である。
【図４Ａ】図４Ａは、図１の照準器と一緒に使用する照明系の分解組立図である。
【図４Ｂ】図４Ｂは、照準器と一緒に使用する照明系の分解組立図である。
【図５Ａ】図５Ａは、図１の照準器の調節組立部の断面図である。
【図５Ｂ】図５Ｂは、図５Ａの調節組立部の調節器の部分断面図である。
【図６】図６は、照準器と一緒に使用する制御系の斜視図である。
【図７】図７は、ブラックジャケット・ファイバーに使われる発光ダイオード（ＬＥＤ）アレイを含む図１の照準器と一緒に使用する照明素子の断面図である。
【図８Ａ】図８Ａは、ブラックジャケット・ファイバーと結合されるトリチウムランプを持つ蛍光性ファイバーおよびクリアファイバーに使われるＬＥＤを含む照明素子の断面図である。
【図８Ｂ】図８Ｂは、ブラックジャケット・ファイバーと結合されるトリチウムランプおよび蛍光性ファイバーを含む照明素子の断面図である。
【図９】図９は、トリチウムランプを有する蛍光性ファイバーと結合したクリアファイバーに連結したLEDを含み、さらにクリアファイバーと蛍光性ファイバーからブラックジャケット・ファイバーに向けて光を導くボールレンズを含む、図１の照準器と一緒に使用するための照明素子の断面図である。
【図１０】図１０は、クリアファイバーおよび／または蛍光性ファイバーを経由してブラックジャケット・ファイバーへ光を供給するトリチウムランプを有する蛍光性ファイバーおよびクリアファイバーに付随したＬＥＤを含む、図１の光学照準器とともに使用する照明素子の断面図である。
【図１１Ａ】図１１Ａは、トリチウムランプを有する蛍光性ファイバーおよびクリアファイバーを通ってブラックジャケット・ファイバーへ光を導く蛍光性ファイバーおよびクリアファイバーに連結したLEDを含む、図１の照準器と一緒に使用する照明素子である。
【図１１Ｂ】図１１Ｂは、本発明の開示の原則に従って照明素子と一緒に使用するファイバーポストの側面図である。
【図１１Ｃ】図１１Ｃは、本発明の開示の原則に従って照明素子と一緒に使用するファイバーポストの前面図である。
【図１１Ｄ】図１１Ｄは、本発明の開示の原則に従って照明素子と一緒に使用するファイバーポストの背面図である。
【図１１Ｅ】図１１Ｅは、本発明の開示の原則従って照明素子と一緒に使用するファイバーポストの上面図である。
【図１２】図１２は、光散乱面を持つ光学素子およびＬＥＤを含む図１の照準器と一緒に使用する照明素子を組み込んだプリズム組立部の上面図である。
【図１３】図１３は、図１２の照明素子およびプリズム組立部の断面図である。
【図１４】図１４は、ＬＥＤに結合した光ファイバーを含む、図３の照準器と一緒に使用する照明素子およびプリズム組立部の断面図である。
【図１５】図１５は、平凹レンズ、光ファイバーおよびＬＥＤを含む、図３の照準器と一緒に使用する照明素子およびプリズム組立部の断面図である。
【図１６】図１６は、フレネルレンズ、光散乱面、光ファイバーおよびＬＥＤを含む、図３の照準器と一緒に使用する照明素子の断面図である。
【図１７】図１７は、レーザー線発生器レンズ、光ファイバーおよびＬＥＤを含む、図３の照準器と一緒に使用する照明素子を組み込んだプリズムの断面図である。
【図１８】図１８は、図１７のレーザー線発生器レンズの斜視図である。
【図１９】図１９は、凸レンズ、ＬＥＤおよび光ファイバーを含む、図３の照準器と一緒に使用する照明素子を組み込んだプリズム組立部の断面図である。
【図２０】図２０は、拡散ガラスに使用されるＬＥＤを含むプリズム組立部の上面図である。
【図２１】図２１は、ＬＥＤおよび光ファイバーを含む図２０の照明素子およびプリズム組立部の断面図である。
【図２２】図２２は、ＬＥＤに取り付けられた光ファイバーおよびプリズム組立部から所定距離離して実装されたＬＥＤを含む、図３の照準器と一緒に使用する照明素子並びにプリズム組立部の断面図である。
【図２３】図２３は、ＬＥＤおよびガラスミラー・トップおよびサイド・ディフューザーを含む、図３の照準器と一緒に使用する照明素子並びにプリズム組立部の上面図である。
【図２４】図２４は、光ファイバーを持つ図２３の照明素子およびプリズム組立部の断面図である。
【図２５】図２５は、光ファイバー、ＬＥＤおよびＬＥＤからプリズム組立部へ光を導く反射器を含む、図３の照準器と一緒に使用する照明素子並びにプリズム組立部の断面図である。
【図２６】図２６は、光ファイバーおよびファイバーを経由してＬＥＤから光を受けるレンズを含む、図３の照準器と一緒に使用する照明素子並びにプリズム組立部の断面図である。
【図２７】図２７は、光ファイバー、直角プリズムおよびＬＥＤを含む、図３の照準器と一緒に使用する照明素子並びにプリズム組立部の断面図である。
【図２８】図２８は、光ファイバー、ハーフボールレンズおよびＬＥＤを含む、図３の照準器と一緒に使用する照明素子並びにプリズム組立部の断面図である。
【図２９】図２９は、光ファイバー、直角プリズムおよびＬＥＤを含む、図３の照準器と一緒に使用する照明素子並びにプリズム組立部の断面図である。
【図３０】図３０は、光ファイバー、ハーフボールレンズおよびＬＥＤを含む、図３の照準器と一緒に使用する照明素子並びにプリズム組立部の断面図である。
【図３１】図３１は、光ファイバー、放射面鏡およびＬＥＤを含む、図３の照準器と一緒に使用する照明素子並びにプリズム組立部の断面図である。
【図３２】図３２は、プリズム組立部へ向けて光を導くための広視野角（レンズ）を持つ面実装ＬＥＤを含む、図３の照準器と一緒に使用する照明素子並びにプリズム組立部の断面図である。
【図３３】図３３は、水晶体（optic  lens）およびLEDを含む、図３の照準器と一緒に使用する照明素子並びにプリズム組立部の断面図である。
【図３４】図３４は、エレクトロルミネッセント平坦フィルムランプを含む、図３の照準器と一緒に使用する照明素子並びにプリズム組立部の上面図である。
【図３５】図３５は、光ファイバーを持つ図３４の照明素子並びにプリズム組立部の断面図である。
【図３６】図３６は、ガラスディフューザーの周りに配置されたエレクトロルミネッセント・ワイヤランプを含む図３の照準器と一緒に使用する照明素子並びにプリズム組立部の上面図である。
【図３７】図３７は、光ファイバーを持つ図３６の照明素子並びにプリズム組立部の断面図である。
【図３８】図３８は、アルミニウム円形モールド、光ファイバー、紫外線接着剤およびLED含む、図３の照準器と一緒に使用する照明素子並びにプリズム組立部の上面図である。
【図３９】図３９は、光ファイバーを持つアルミニウムモールド、アルミニウムモールドを経由してプリズム組立部へ向けて光を導くLED、および研磨コアを含む、図３の照準器と一緒に使用する照明素子並びにプリズム組立部の断面図である。
【図４０】図４０は、ディスプレイを含む図３の照準器のレチクルパターンを示す。
【図４１】図４１は、ディスプレイを含む図３の照準器のレチクルパターンを示す。
【発明を実施するための形態】
【００１４】
詳細な説明を以下に記載する。
以下の説明は事実上単に例示的なものに過ぎず、本発明、応用、或いは用途を制限することを意図してはいない。図面の中で、対応する参照番号は同様のまたは対応する部分や特徴を示していると理解すべきである。
【００１５】
図面を参照すると、照準器１０が備わっていて、それは、ハウジング１２、光学列（optics  train）１４、調節系１６、および照明系１８を含む。ハウジング１２は銃器２０に選択的に取り付けられていても良く、光学列１４、調節系１６および照明系１８を支えていても良い。光学列１４は、ハウジング１２と協働し、目標物の拡大像を提供する。一方、調節系１６は、ハウジング１２に対して光学列１４の配置合わせし、光学列１４を銃器２０に対して適切に調節する。ある形態において、光学列１４は、目標物の視野サイズの６倍に実質的に等しいサイズまで、目標物を拡大する。（すなわち、倍率６倍）照明系１８は光学列１４と協働し、レチクルパターン２２を照らして照準器１０および銃器２０に対してターゲットを合わせる際に支援する。
【００１６】
ハウジング１２は、アイピース（接眼レンズ）２６を備えた本体２４を含む。本体２４は、銃器２０にハウジング１２を取り付けるときに使われる一連のネジ穴２８、および長軸３２を持つ内部空間３０を含む。本体２４の第１端部３４は実質的に円形状部分を含み、ハウジング１２の内部空間３０と通じている。第２端部３６は、第１端部３４から本体２４の反対側に一般に配置され、同様に円形の断面形状部を含む。テーパー状口径部分３８は、第１端部３４と第２端部３６の間に配置され、テーパー状口径部分３８の形状を決める階段状表面４０を含む。
【００１７】
本体２４の第１端部３４は、第２端部３６の出口瞳孔より大きい直径を有する入口瞳孔を含む。第１端部３４の入口瞳孔は、照準器１０に入る光量を決定し、出口瞳孔と協働し照準器１０に所望の倍率を持たせる。ある形態において、入口瞳孔は、出口瞳孔の直径より実質的に６倍大きい直径を含む。このような形態は「６ｘ倍率」を持つ照準器１０を提供する。出口瞳孔は入口瞳孔より６倍であると記載されていても、出口瞳孔を大きくして、使用者の眼を照準器１０と合わせても良い。第１端部３４は、周辺光による光学列１４上にグレア（眩しい光）の発生を防ぐために、目標物に向かって底部４４より大きく伸びる切頂部分４２を含んでも良い。
【００１８】
本体２４は調節系１６を支持し、そこに調節系１６の部分を操作可能に受ける少なくとも1つの穴４６を含んでも良い。本体２４はまた、調節系１６と協働し、ターゲットに対してレチクルパターン２２の位置を調節する内部弓形面４８を含んでも良い。
【００１９】
本体２４は、アイピース２６と協働しアイピース２６に対して本体２４を位置合わせし、アイピース２６に対して本体２４を取り付ける固定部５０を含んでも良い。固定部５０は、アイピース２６と相互作用するために本体２４から伸びるタブ５２を含んでも良い。接合フランジ面の間をシールするために、本体２４とアイピース２６の間に環状シール５３が配置されていても良い。たとえば、そのようなシールをするために、環状シール５３は固定部５０内に配置されても良い。本体２４は、タブ５２および環状シール５３を有する固定部５０を含むと記載されているとしても、本体２４は、追加的に、および／または代替的に本体２４をアイピース２６に取りつける任意の固定部を含むことができる。たとえば、固定部５０は、アイピース２６を通して受け取られ本体２４に挿入され、本体２４に対してアイピース２６を位置合わせし、本体２４にアイピース２６を取りつける一連の留め具５４（図１）を含むことができる。留め具５４が本体２４にアイピース２６を取りつけるために使われる場合、本体２４は、留め具５４を嵌合して受ける一連のネジ穴５６を含んでも良い。
【００２０】
アイピース２６は、本体２４によって嵌合して受け取られ、上述したように固定部５０によりそこへ取り付けられても良い。そのようなものとして、アイピース２６は、留め具５４を嵌合して受けるネジ穴５８（示されず）を同様に含んでも良い。
【００２１】
アイピース２６は、アイピース２６は本体２４に組み立てられるとき、本体２４の長軸３２と同軸上に合わせられる長軸６０を含む。アイピース２６は、第１端部６２と反対側のアイピース２６の端部に配置される第２端部６４および固定部５０により、本体２４へ取り付けられる第１端部６２を含む。第１端部６２は内部弓形面６６を含んでも良い。アイピース２６が本体２４へ取り付けられるとき、本体２４の内部弓形面４８と合わさる内部弓形面６６を含んでも良い。内部弓形面６６は本体２４の内部弓形面４８と協働し球面シートを作り、それは光学列１４の調節中にハウジング１２に対して光学列１４の部分を動かすことを可能にする。さらに以下に記載するように、ハウジング１２に対して光学列１４の部分を動かすことにより、ハウジング１２に対してレチクルパターン２２を調節することができ、この結果、銃器２０に対して照準器１０を調節することが可能となる。固定リング７２が、照明系１８に隣接したアイピース２６の末端部に配置されていても良く、たとえば、照明系１８の回転ダイヤルのような調節機構を保持するために使うこともできる。第１端部６２はまた、少なくとも照明系１８の部分を受ける凹部６８を含んでも良い。
【００２２】
特に図２および３を参照すると、光学列１４は、対物レンズ系７４、像正立系７６、および接眼レンズ系７８を含むように示される。対物レンズ系７４は望遠対物レンズであり、前方の正のパワーレンズ群７５および後方の負のパワーレンズ群７７を含む。前方の正のパワーレンズ群７５は、一般に本体２４の第１端部３４に隣接して配置され、ピッタリと接着した凸平単レンズ９６によってともに固定された、実質的に複凸レンズおよび実質的に凹凸レンズを有する凸平複レンズ８０を含む。レンズ８０、９６は、ハウジング１２の本体２４に対してレンズ８０、９６を位置合わせし取り付けるために、ネジ切り固定リング８２および／または接着剤により本体２４の第１端部３４内に固定されていても良い。
【００２３】
後方の負のパワーレンズ群７７は一般に前方の正のパワーレンズ群７５と本体２４の第２端部３６との間に配置され、凹平単レンズ９８および凹凸複レンズ１００を含む。前方の正のパワーレンズ群７５と同様に、後方の負のパワーレンズ群７７の単レンズ９８および複レンズ１００は、ネジ切り固定部８３および／または接着剤によりハウジング１２の本体２４内に保持され位置合わせされても良い。
【００２４】
像正立系７６は、一般に対物レンズ系７４および接眼レンズ系７８の間のハウジング１２内に配置される。像正立系７６は、ハウジング８４、ルーフプリズム８６、およびミラープリズム８８を含み、それらは協働しペシャンプリズムアセンブリを形成する。像正立系７６は、対物レンズ系７４および接眼レンズ系７８と協働し、ハウジング１２、すなわち銃器２０に対して視覚目標物の像を適切に方向合わせできる。たとえば、像は本体２４の長手方向軸３２に沿って進み、アイピース２６で見られる前にペシャンプリズムアセンブリの光路に沿って進む。像正立系７６はまた、照明系１８と協働し、アイピースレンズ９０で表示されるレチクルパターン２２の全体形状およびサイズを与える。ペシャンプリズムアセンブリは好適には共同出願US特許4,806,007に開示されたタイプであり、その開示は参照することによりここに含まれる。
【００２５】
像正立系７６からの像は、アイピース２６に隣接して配置された接眼レンズ系７８によって受け取られる。接眼レンズ系７８は、対物レンズ系７４から光学照準器１０の対向端部に一般に配置され、アイピースレンズ９０を含む。それは両凸単レンズや実質的に複凸型レンズ、および複接眼レンズ９２であっても良い。以下に、アイピースレンズ９０は複凸アイピースレンズ９０として記載されている。複接眼レンズ９２は、適切な接着剤によって共に固定された実質的に複凹レンズおよび実質的に複凸レンズを含んでも良い。複凸アイピースレンズ９０および複接眼レンズ９２はネジ切り固定リング９４によりハウジング１２のアイピース２６に対して所望の位置において固定されても良い。ネジ切り固定リング９４は開示されているが、複凸アイピースレンズ９０および複接眼レンズ９２は、代替的におよび／または付加的に、接着剤を使ってハウジング１２のアイピース２６に取りつけることもできる。
【００２６】
光学照準器１０は視認ターゲット（すなわち、光学照準器１０を使わずに見たときのターゲット）の約６倍サイズのターゲット拡大像を与える。ターゲット像を拡大するために光学照準器１０の能力を増大すると、遠くのターゲットを拡大する際に光学照準器１０の性能を改善し、光学照準器１０を使いより遠くのターゲットを拡大することができる。一般的に言えば、このような倍率面の改善はもっと長い焦点長さを持つ対物レンズを導入することによって実現できる。しかし、対物レンズの焦点長さを増大すると、ハウジング１２のすべての長さを増大させ、その結果光学照準器１０のすべての長さやサイズを増大させる。
【００２７】
上述したように、複数のレンズを使って対物レンズの焦点長さを増大することによって、本発明において６ｘ倍率が達成される。凸平単レンズ９６、凹平単レンズ９８、および複レンズ１００の間で、対物レンズ系７４、像正立系７６、および接眼レンズ系７８と協働すると、ターゲットの視認サイズより６倍大きくターゲットを拡大する光学照準器１０が実現できる。特に、前方の正のパワーレンズ群７５および後方の負のパワーレンズ群７７にレンズ９６、９８、および１００をそれぞれ付加することにより、ハウジングを余り長くせずに、また繁雑にせずに、６ｘ倍率を持つ光学照準器１０を実現できる。
【００２８】
特に図４および５を参照すると、調節系１６は調節組立部１０２、１０２’  およびバイアス組立部１０４、１０４’  を含むように示される。調節組立部１０２、１０２’  は、バイアス組立部１０４、１０４’  と協働し、ハウジング１２に対して像正立系７６のハウジング８４を選択的に動かす。ハウジング１３に対して像正立系７６のハウジング８４の動作は、ハウジング１２に対してルーフプリズム８６およびミラープリズム８８を動かし、その結果、ハウジング１２に対してレチクルパターン２２の位置を調節することもできる。ハウジング１２に対してレチクルパターン２２のこのような調節は、銃器２０に対してレチクル２２を合わせてウィンデージおよびエレベーションをなくすために使うこともできる。
【００２９】
図２および５に示されているように、本発明の光学照準器１０は、レチクルパターン２２のエレベーションを調節するために、ハウジング１２に対して像正立系７６のハウジング８４を協同して回転する第１のバイアス組立部１０４および第１の調節組立部１０２を含む。図２における矢印「X」によって模式的に示されるように、ハウジング８４の回転により、軸３２、６０に実質的に垂直な方向においてレチクルパターン２２を動かすことができる。
【００３０】
図３および５に示されるように、本発明の光学照準器１０は、ハウジング１２に対して像正立系７６のハウジング８４をお互いに協働して動かす第２のバイアス組立部１０４’   および第２の調節組立部１０２’  を含む。ハウジング１２に対して像正立系７６のハウジング８４の動作は同様にハウジング１２に対してレチクルパターン２２を動かす。ハウジング１２に対するこのようなレチクルパターン２２の動作により、ハウジング１２に対してレチクルパターン２２を適切に合わせ、またこの結果、光学照準器１０を銃器２０と適切に合わせるために、ウィンデージ調節を行っても良い。図３において矢印「Y」によって図示されているように、レチクルパターン２２のこのような動きは軸３２、６０および矢印Xに対して実質的に垂直である。
【００３１】
第１の調節組立部１０２は第２の調節組立部１０２’  と実質的に一致していて、第１のバイアス組立部１０４は第２のバイアス組立部１０４’   と実質的に一致しているので、第２の調節組立部１０２’  および第２のバイアス組立部１０４’  の詳細な説明は前述の通りである。
【００３２】
図４および５を参照すると、第１の調節組立部１０２は、キャップ１０６、調節ノブ１０８、戻り止め組立部１０９、中空アダプタ１１０、および結合ピン１１２を含むように示されている。キャップ１０６は、ハウジング１２に選択的に取り付けることができ、中空アダプタ１１０と噛みあわせするための一連のネジ山１１４を含んでも良い。キャップ１０６は、一般に調節ノブ１０８および中空アダプタ１１０の一部を受ける内部空間１１６を含む。キャップ１０６はハウジング１１２にキャップ１０６を選択的に取り付ける一連のネジ山１１４を含むとして示され記載されているが、キャップ１０６は、たとえば、スナップ式および／またはメカニカルファスナー式のような、ハウジング１２にキャップ１０６を選択的に取り付けることができる任意の形状を含む。
【００３３】
調節ノブ１０８は、キャップ１０６の内部空間１１６内に一般に配置され、一連のファスナー１２１および／または接着剤によりプラグ１１８に取り付けられたトップキャップ１２０および中空アダプタ１１０に回転自在に取り付けられるプラグ１１８を含む。プラグ１１８は、中空アダプタ１１０と嵌合して受けられるネジ付き伸長部１２２を含み、その結果、プラグ１１８およびトップキャップ１２０の回転により、プラグ１１８およびトップキャップ１２０が中空アダプタ１１０に対するプラグ１１８の回転方向に依存してハウジング１２の方へまたはハウジング１２から動く。
【００３４】
戻り止め組立部１０９は、プラグ１１８を通して形成される放射状十字ボア１１１に配置されても良いし、戻り止めピン１１５にバイアス力を与えるスプリング１１３を含んでも良い。スプリング１１３によって戻り止めピン１１５に与えられたバイアスは、十字ボア１１１から外側に戻り止めピン１１５を強く押し、中空アダプタ１１０の側壁とかみ合わせる。複数の軸方向に伸びる溝１１７が、中空アダプタ１１０の内面の周りに間隙をおいた間隔で周辺に配置されていても良い。その結果、光学照準器１０の較正を容易にするために戻り止めピン１１５が隣接する溝１１７の方へ動くときに、螺合してプラグ１１８を前進させるかまたは後退させながら、作業者は物理的または可聴式の「クリック音」を感知することができる。
【００３５】
中空アダプタ１１０は、ハウジング１２に取り付けられ、ハウジング１２のネジ穴１２６内に嵌合して受けられる一連の雄ネジ１２４を含んでも良い。中空アダプタ１１０はネジ接続によりハウジング１２に取り付けられているように記載され示されているが、中空アダプタ１１０は、たとえばエポキシ接着および／または圧入のような任意の適切な手段によりハウジング１２に取り付けることもできる。
【００３６】
中空アダプタ１１０は、プラグ１１８のネジ付き伸長部１２２を嵌合して受ける一連のネジ山１３０を持つ中心ボア１２８を含む。上述したように、調節ノブ１０８に力が加わり、プラグ１１８およびネジ付き伸長部１２２が中空アダプタ１１０に対して回転するときに、プラグ１１８およびネジ付き伸長部１２２は、プラグ１１８のネジ付き伸長部１２２および中空アダプタ１１０のネジ山１３０の間におけるかみ合いにより、ハウジング１２の方へ、またはハウジング１２から離れて動く。中空アダプタ１１０は、中空アダプタ１１０およびハウジング１２の間における結合を密封するシール１３４を受けるために、外表面に形成された少なくとも１つの窪み１３２を含んでも良い。同様の窪み１３６が、調節ノブ１０８のトップキャップ１２０に隣接した中空アダプタ１１０に形成されても良いし、同様に調節ノブ１０８のトップキャップ１２０および中空アダプタ１１０の間における結合を密封するシール１３８を受けても良い。窪み１３２、１３６は中空アダプタ１１０と一体化して形成されても良いし、および／または中空アダプタ１１０の外表面において機械加工されても良い。シール１３４、１３８は、たとえばＯリングのような任意の適切なシールであっても良い。
【００３７】
係合ピン１１２は、プラグ１１８の一般にネジ付き伸長部１２２および内に受けられ、取り付け部１４０の末端部から伸びる係合部１４２およびプラグ１１８のネジ付き伸長部１２２内で回転自在に受けられる取り付け部１４０を含む。ネジ付き伸長部１２２はプラグ１１８とともに動くために固定される。
【００３８】
係合部１４２は、取り付け部１４０から伸び、像正立系７６のハウジング８４と接触している。第１のバイアス組立部１０４は、係合ピン１１２の係合部１４２と係合して、像正立系７６のハウジング８４にバイアスをかける。第１のバイアス組立部１０４は、ハウジング１２のボア１４６内に配置されたバイアス部材１４４を含む。バイアス部材１４４は像正立系７６のハウジング８４と接触していても良いし、或いは代替的に、キャップ１４８は一般に、像正立系７６のハウジング８４およびバイアス部材１４４との間に配置されていても良い。どちらの形態においても、バイアス部材１４４は、ハウジング８４を係合ピン１１２の係合部１４２と係合して像正立系７６のハウジング８４に力を加える。バイアス部材１４４は、たとえばコイルスプリングまたは線状スプリングのような任意の適切なスプリングであっても良い。
【００３９】
像正立系７６のハウジング８４は係合ピン１１２の係合部１４２と係合してバイアスされるので、中空アダプタ１１０に対して係合ピン１１２の動作により、ハウジング１２に対して像正立系７６のハウジング８４を動かす。中空アダプタ１１０の底部および係合部１４２の間にボールベアリング１５０を配置すると、中空アダプタ１１０に対して係合ピン１１２のそのような動きを弱める可能性がある。調節系１６の静かな操作を保証するために係合ピン１１２がハウジング１２の方へ、およびハウジング１２から離れて動かされるとき、ボールベアリング１５０は、係合部１４２および中空アダプタ１１０の間にシール（気密）を提供しても良いし、係合ピン１１２の動きを弱める可能性もある。
【００４０】
図４および５を続けて参照すると、調節系１６の操作が詳細に記載される。ハウジング１２に対してレチクルパターン２２のエレベーションを調節するために、キャップ１０６はハウジング１２との係合を外される。ある形態において、キャップ１０６はハウジング１２に螺合して取り付けられる。その結果、キャップ１０６をハウジング１２との係合を外すために、ハウジング１２に対してキャップ１０６を回転するためにキャップ１０６に力が加えられる。キャップ１０６がハウジング１２に対して十分に回転されると、キャップ１０６はハウジング１２と係合を外される可能性がある。
【００４１】
ハウジング１２とキャップ１０６の係合を外すと、調節ノブ１０８のトップキャップ１２０が露出する。調節用トップキャップ１２０を露出させると、トップキャップ１２０により調節ノブ１０８のプラグ１１８に力を加えることができる。中空アダプタ１１０に対してネジ付き伸長部１２２およびプラグ１１８を回転するために、回転力が調節プラグ１１８のトップキャップ１２０へ一般に加えられる。中空アダプタ１１０に対してネジ付き伸長部１２２およびプラグ１１８の回転により、中空アダプタ１１０の中心ボア１２８に対してネジ付き伸長部１２２を動かすことができる。
【００４２】
上述したように、中心ボア１２８はネジ付き伸長部１２２を係合するネジ山１３０を含んでも良い。その結果、プラグ１１８およびネジ付き伸長部１２２はハウジングに対して回転するので、ネジ付き伸長部１２２の回転方向に依存して、ネジ付き伸長部１２２および中心ボア１２８のネジ山１３０の間における係合のおかげで、プラグ１１８、トップキャップ１２０およびネジ付き伸長部１２２は、中空アダプタ１１０の方へ、またはアダプタ１１０から離れて動かすことができる。係合ピン１１２は、調節ノブ１０８のネジ付き伸長部１２２に取り付けられ、その結果、プラグ１１８、トップキャップ１２０、およびネジ付き伸長部１２２が中空アダプタ１１０に対して動くとき、プラグ１１８、トップキャップ１２０、およびネジ付き伸長部１２２と一緒に動く。
【００４３】
トップキャップ１２０へ加えられる力によりネジ付き伸長部１２２が中空アダプタ１１０の方へ動かされるとき、係合ピン１１２は、像正立系７６のハウジング８４へ「Ｚ」方向（図５Ｂ）に力を加える。像正立系７６のハウジング８４へ「Ｚ」方向における力が加えられると、ハウジング８４は、第１のバイアス組立部１０４によってハウジング８４に与えられるバイアスに逆らって動くことができる。このようなハウジング８４の動きは、ハウジング１２に対してＺ方向においてレチクルパターン２２を同時に動かし、その結果、ハウジング１２に対してレチクルパターン２２のエレベーションを調節する。
【００４４】
反対方向においてトップキャップ１２０へ力が加えられるとき、ネジ付き伸長部１２２および係合ピン１１２は、Ｚ方向において中空アダプタ１１０から離れて動く。像正立系７６のハウジング８４は、第１バイアス組立部１０４のバイアス部材１４４によってハウジング８４に与えられる力のおかげで、Ｚ方向と反対方向に同様に動く。上述したように、Ｚ方向と一般的に反対方向におけるネジ付き伸長部１２２および係合ピン１１２の動作にもかかわらず、第１のバイアス組立部１０４のバイアス部材１４４によって像正立系７６のハウジング８４に与えられる力のおかげで、像正立系７６のハウジング８４は、ネジ付き伸長部１２２の係合部１４２と接触して維持される。
【００４５】
レチクルパターン２２のエレベーションがハウジング１２に対して調節されるとき、キャップ１０６は調節ノブ１０８および中空アダプタ１１０の上に配置されても良いし、ハウジング１２に再取り付けされても良い。ハウジング１２へキャップ１０６の取り付けは、調節ノブ１０８のさらなる操作を防ぎ、その結果、キャップ１０６がハウジング１２からもう一度取り外されるまで、レチクルパターン２２のエレベーションのさらなる調節を防ぐのに役立つ。他の言葉で言えば、キャップ１０６は、エレベーション調節が望まれないとき、中空アダプタ１１０に対してプラグ１１８およびネジ付き伸長部１２２の回転から発生する不注意な力がトップキャップ１２０へ加えられることを防ぐ。Ｚ方向と実質的に垂直方向において、ハウジング１２に対してレチクルパターン２２を動かすことによって、ウィンデージを調節するために、同様のアプローチが第２の調節組立部１０２’  および第２バイアス組立部１０４’  に行われても良い。
【００４６】
特に図１−４Ｂを参照すると、照明系１８はハウジング１２のアイピース２６に取り付けられた蛍光性ファイバー１５２を含むように示されている。蛍光性ファイバー１５２は、アイピース２６の外表面の周囲を巻いているとして示されていて、アイピース２６の窪み６８内で一般に受けられる。蛍光性ファイバー１５２は、周辺光を捕えても良く、所定の色（たとえば、赤または黄色）で周辺光を照らし、また蛍光性ファイバー１５２の長さに沿って周辺光を導いても良い。蛍光性ファイバー１５２は、好適には共同出願ＵＳ特許4,806,007および6,807,742に開示されたタイプであり、その開示は参照することにより本発明に含まれる。
【００４７】
蛍光性ファイバー１５２は、ファイバー１５２がアイピース２６の全周囲を巻くようにハウジング１２のアイピース２６を軸方向に取り囲んでも良い。（すなわち、アイピース２６の外表面の周り３６０度包まれている。）蛍光性ファイバー１５２は、レチクルパターン２２を照らすために像正立系７６の方へ一般に導かれる、アイピース２６内に配置された末端部を含んでも良い。たとえば、蛍光性ファイバー１５２は、レチクルパターン２２を照らすためにミラープリズム８８に取り付けられた、アイピース２６の窪み６８から伸びる末端部１５４（図３）を含んでも良い。操作中、蛍光性ファイバー１５２は、周辺光を受け、蛍光性ファイバー１５２の長さに沿って周辺光を一般に末端部１５４の方へ導く。蛍光性ファイバー１５２の末端部１５４に達すると、光はレチクルパターン２２を照らすためにミラープリズム８８に供給される。共同出願ＵＳ特許4,806,007に記載されているように、蛍光性ファイバー１５２からの光がミラープリズム８８の刻み部だけを照らすように、レチクルパターン２２はミラープリズム８８の面に刻まれても良い。言い換えれば、蛍光性ファイバー１５２からの光は、刻まれたミラープリズム８８の部分でミラープリズム８８を通して伝達されるだけであり、その結果伝達部分だけはアイピースレンズ９０で視認される。レチクルパターン２２はその結果、ミラープリズム８８の刻み部の全体形状やサイズによって決められる。蛍光性ファイバー１５２は、蛍光性ファイバー１５２の長さに沿って末端部１５４の方へ光を集め導くので、蛍光性ファイバー１５２は、周辺光をつかまえ、蛍光性ファイバー１５２の長さに沿って周辺光を導く導管と考えて良い。
【００４８】
アイピース２６の外表面の周りに蛍光性ファイバー１５２を完全に包むことにより、露出されるファイバー１５２の全体表面積を増加させることができ、ファイバー１５２によって受けることができる光量を最大化できる。さらに、アイピース２６の外表面の周りに蛍光性ファイバー１５２を完全に包むことにより、集光するために露出されるファイバー１５２の十分な領域を維持しながら、巻かれたファイバー１５２の幅を小さくできるので、望遠鏡１０の全長を短くできる。
【００４９】
アイピース２６の周りに蛍光性ファイバー１５２を完全に包むことにより、露出されるファイバー１５２の表面積を増加させる一方で、巻かれたファイバー１５２の部分は、ファイバー１５２によって集められる光を制限するためのコーティング１４１（図４Ａ）を含んでも良い。たとえば、黒マスクのようなコーティングは、照準器１０の底部の巻かれたファイバー１５２の部分に適用されても良い。コーティングによってファイバー１５２が集める光を防ぐことができ、一般にコーティングの末端部間の領域に光の収集を制限するためにファイバー１５２にマスクが適用される。
【００５０】
レチクルパターン２２の照明により、種々の環境条件において光学照準器１０を使用できる。環境条件に応じてレチクルパターン２２の照明を調節しても良い。たとえば、暗い環境において、夜間および／または暗い条件下、たとえば建物の中で光学照準器１０を使用できるように、レチクルパターン２２を照らしても良い。他の条件において、太陽光の中および／または他の照明素子（すなわち、たとえば、戦闘地域におけるブレーキ灯や交通信号灯）の間で光学照準器１０を使うときのように、明るい場所でレチクルパターン２２を目立つことができるように、レチクルパターン２２を照らしても良い。
【００５１】
レチクルパターン２２の照明は光学照準器１０が使用される条件によって一般に決められる。たとえば、夜に光学照準器１０を使用するとき、レチクルパターン２２がハウジング１２の第１端部３４で見れるような程度までではなく、使用者がレチクルパターン２２を見ることができるようにレチクルパターン２２を十分に照らすだけで良い。これに対して、日の当たる条件やたとえば戦闘地域における信号灯のような他の光のもとで光学照準器１０を使うとき、レチクルパターン２２が明るい光から目立つことができ、ユーザーが明確にレチクルパターン２２を視認できる程度以上にレチクルパターン２２を照らしても良い。
【００５２】
ハウジング１２のアイピース２６によって可動的に支持される回転ダイヤルやスリーブ１５６により、照明系１８においてレチクルパターン２２へ供給される光量を調節しても良い。ダイヤル／スリーブ１５６はハウジング１２に対して回転できるように下記で記載されまた図において示されているが、ダイヤル／スリーブ１５６は、蛍光性ファイバー１５２を選択的に露出するためにハウジング１２に対して、代替的にスライド自在でも良いし、或いは他のやり方で可動できても良い。
【００５３】
回転ダイヤル１５６は、回転ダイヤル１５６により周辺光を選択的に取ることができるように形成される開口部１５８を持つボディ１６０を含んでも良い。そのボディ１６０は、たとえば金属のようなリジッド材料から形成されても良く、アイピース２６によってハウジング１２に対して回転自在に支持されても良い。開口部１５８は、回転ダイヤルに取り付けられ、回転ダイヤル１５６と一緒に回転するカバー１５９を含んでも良い。カバー１５９は、たとえばクリアプラスチックのような透明または半透明な材料で形成されても良い。カバー１５９は、クリアプラスチック材料から形成されるとして記載されているが、カバー１５９は、光を通すことができ、蛍光性ファイバー１５２によって光を集めることができる任意の材料で形成されても良い。
【００５４】
回転ダイヤル１５６と一緒にカバー１５９を回転することによって、窪み６８をシールし、ダストや他の屑の窪み６８への侵入を防ぐことができる。ダストや他の屑が窪み６８に入るのを防止することによって、汚染物が蛍光性ファイバー１５２に入り込むことを防止でき、ファイバー１５２への損傷を防ぎ、ファイバー１５２の外表面をきれいに保持することができる。さらに、カバー１５９を回転ダイヤル１５６に取り付けることによって、カバー１５９はダイヤル１５６と一緒に回転し、ファイバー１５２から離間される。そのようなものとして、回転ダイヤル１５６がファイバー１５２に対して動かされるとき、カバー１５９およびファイバー１５２の間に入り込んだ任意のダストおよび／または他の屑によって、ファイバー１５２の外表面に損傷を与えない。さらに、カバー１５９は回転ダイヤル１５６と共に回転するので、ダストおよび／または他の屑が回転ダイヤル１５６およびカバー１５９の外表面の間に集まらなくなり、この結果、カバー１５９に対して回転ダイヤル１５６の動作によって引き起こされるカバー１５９の外表面への損傷を防止できる。
【００５５】
カバー１５９および窪み６８の間にダストおよび他の屑の侵入を防ぐために、またファイバー１５２からボディ１６０を離間するために、一般にボディ１６０およびアイピース２６の外表面の間に一対のＯリングシール１６１を備えても良い。Ｏリングシール１６１は、流体、たとえば空気、窒素、および／または水、またはダストおよび／またはよごれのような他の廃物の窪み６８への侵入を防ぐ気密シールを窪み６８に提供しても良い。たとえば、ある形態において、Ｏリングシール１６１は、ボディ１６０およびアイピース２６の間に気密シールを提供する。Ｏリングシール１６１は、たとえばゴムのような弾性材料で形成されても良い。
【００５６】
たとえばゴムのような弾性材料１６９は、一般にボディ１６０の外表面の周りに形成されても良い。弾性材料１６９は、ボディ１６０および回転ダイヤル１５６のグリップ性および回転性を補助する一連の突起１６３を含んでも良い。流体および／または他のカスの侵入を防止し、それらが窪み６８に入り蛍光性ファイバー１５２の操作と干渉することを防ぐために、弾性材料１６９は、弾性材料１６９がカバー１５９を完全に取り囲み、またさらにボディ１６０およびカバー１５９の間のインターフェースをシールするように、配置されても良い。
【００５７】
特に図４Ｂを参照すると、別の照明系１８ａが光学照準器１０と一緒に使用するために提供される。照明系１８ａに関して照明系１８ａと関連した部品の構造および機能においてかなり類似していることを考えて、文字の拡張子を含む同様の参照番号は修正された同様の部品を同定するために使われるとしても、同様の部品を同定するために、同様の参照番号が以下および図で使用されている。
【００５８】
照明系１８ａは、ハウジング１２のアイピース２６によって回転自在に支持されるボディ１６０ａを含んでも良い。ボディ１６０ａは、ボディ１６０ａの外表面上に形成された弾性材料１６９ａおよび開口部１５８を含んでも良い。カバー１５９ａは、一般にボディ１６０ａ内に受けられても良いし、たとえばクリアプラスチックのような透明材料または半透明材料で形成されても良い。カバー１５９ａはクリアプラスチック材料から形成されていると記載しているとしても、カバー１５９ａは、光を通すことができ、蛍光性ファイバー１５２によって光を集めることができる任意の材料で形成されても良い。
【００５９】
流体、たとえば空気、および／または水、またはよごれおよび／またはダストのような他の汚れの窪み６８への侵入を防ぐために、Ｏリングシール１６１は、一般にボディ１６０およびアイピース２６の間に配置されても良い。Ｏリングシール１６１は、カバー１５９ａの内側表面およびアイピース２６の外表面の間に配置されても良いし、或いは代替的に、ボディ１６０ａの内側表面およびアイピース２６の外表面の間に配置されても良い。どちらの形態においても、Ｏリングシール１６１は、カバー１５９ａおよび窪み６８の間に気密シールを提供し、流体および／または汚れの窪みへの侵入を防ぐ。さらに、Ｏリングシール１６１は、ファイバー１５２からカバー１５９ａを離間し、カバー１５９ａおよびファイバー１５２の間の接触を防止する。
【００６０】
上の形態のどちらにおいても、開口部１５８の幅は、蛍光性ファイバー１５２に適用されるコーティング１４１の幅より少し小さくても良く、回転ダイヤル１５６を用いて蛍光性ファイバー１５２により集められる光を実質的に防ぐか制限することができる。たとえば、カバー１５９がコーティング１４１を妨害するように、回転ダイヤル１５６を回転する場合、コーティング１４１は、カバー１５９下の露出されたファイバー１５２が完全にコートされ、その結果光を集めることができないように十分な距離だけファイバー１５２上に伸びることができる。上の形態によって、使用者は、コートされたファイバー１５２上にカバー１５９を配置することにより、蛍光性ファイバー１５２による光収集を実質的に完全に防ぐことができる。
【００６１】
図１に示されるように、回転ダイヤル１５６は、回転ダイヤル１５６のボディ１６０はアイピース２６の窪み６８をカバーするように、アイピース２６に回転自在に取り付けられる。アイピース２６に対して回転ダイヤル１５６の回転は、アイピース２６に対して開口部１５８の同様な回転を引き起こす。回転ダイヤル１５６は、ボディ１６０が窪み６８を一般にカバーするとき、回転ダイヤル１５６のボディ１６０は、窪み６８内に一般に配置される蛍光性ファイバー１５２をカバーする。この位置において、窪み６８に入る周辺光が制限され、その結果、蛍光性ファイバー１５２による周辺光のトラップが制限される。この位置において、蛍光性ファイバー１５２は限定された光量だけをレチクルパターン２２へ供給する。レチクルパターン２２へ供給される限定光量はレチクルパターン２２の照明の強度を制限する。
【００６２】
周辺光が再度窪み６８へ入るために、回転ダイヤル１５６は、開口部１５８が窪み６８および蛍光性ファイバー１５２を露出するまで、アイピース２６に対して回転して良い。この位置で、開口部１５８により、周辺光は回転ダイヤル１５６を通って蛍光性ファイバー１５２へ進むことができる。周辺光が窪み６８へ入り、この結果蛍光性ファイバー１５２へ入ることによって、レチクルパターン２２を照らすために、回転ダイヤル１５６により蛍光性ファイバー１５２がレチクルパターン２２へ周辺光を運ぶことができる。上述したように、条件が異なると、レチクルパターン２２へ供給される周辺光の量が異なる。回転ダイヤル１５６および開口部１５８は協働し、蛍光性ファイバー１５２によりレチクルパターン２２へ供給される周辺光の調節を何回でも行うことができる。開口部１５８は窪み６８および蛍光性ファイバー１５２に対して実質的に任意の位置に配置されても良いので、開口部１５８を通って蛍光性ファイバー１５２へ伝わる周辺光量を調節するために、使用者は回転ダイヤル１５６をわずかでも回転しても良いし、周辺光の条件の変化（すなわち、たとえば日中から夕暮れへ移るような）を捕え、レチクルパターン２２の一定の照明を維持するために、回転ダイヤル１５６を同様に回転しても良い。レチクルパターン２２の照明の調節は実質的には制限がない。
【００６３】
上述したように、光学照準器１０は夜や暗い建物の中のような暗い条件下で使用しても良い。そのような環境下で、レチクルパターン２２の照明が必要であるとき、開口部１５８が蛍光性ファイバー１５２を完全に露出するように、回転ダイヤル１５６が配置されるとき、周辺光は容易に利用できないし、蛍光性ファイバー１５２は十分にレチクルパターン２２を照らすことができないかも知れない。そのような環境下で、蛍光性ファイバー１５２によってレチクルパターン２２へ伝わる光を補助することが必要かも知れない。
【００６４】
照明系１８はまた、蛍光性ファイバー１５２によってレチクルパターン２２へ提供される光をさらに補助するために、発光ダイオード１６２（LED）、エレトロルミネッセント・フィルムまたはワイヤ、および／またはトリチウムランプ１６４を含んでも良い。（図６〜１１）LED１６２およびトリチウムランプ１６４は、好適には共同出願特許4,806,007および6,807,742に開示されたタイプであり、その開示は参照することにより本発明に含まれる。LED１６２、エレトロルミネッセント・フィルムまたはワイヤ、および／またはトリチウムランプ１６４は、コントロール・モジュール１６５によって制御されでも良いし、バッテリー１６７のような電源を含んでも良い。
【００６５】
図７〜１１を特に参照すると、種々の照明素子が照明系１８と連動して使用するために示されている。蛍光性ファイバー１５２によってレチクルパターン２２に提供される周辺光が不十分であるとき、レチクルパターン２２を照らすのに十分な光量でレチクルパターン２２に供給するために、種々の照明素子が蛍光性ファイバー１５２と連動して使用されても良い。
【００６６】
図７を参照すると、照明素子２００が提供され、LED２０２およびブラックジャケット・ファイバー２０４を含む。LED２０２は、適切なファスナーおよび／またはエポキシ接着剤によって、ブラックジャケット・ファイバー２０４の端部に取り付けられる。ブラックジャケット・ファイバー２０４は、LED２０２から光を受け、ブラックジャケット・ファイバー２０４の長さに沿って光を導く、光路２０６を含む。ブラックジャケット・ファイバー２０４は真っ暗な壁２０８を含むので、LED２０２からの光は、ブラックジャケット・ファイバー２０４の光路２０６から逃げないで、その結果、光量を余り失わずに光路２０６内で、ブラックジャケット・ファイバー２０４の長さに沿って変形しても良い。
【００６７】
照明素子２００は、レチクルパターン２２を照らすために、蛍光性ファイバー１５２と連動して使用されても良い。たとえば、蛍光性ファイバー１５２からの光が適切にレチクルパターン２２を照らすのに不十分であるような暗い条件において、光学照準器１０を使うとき、照明素子２００のLED２０２は、ブラックジャケット・ファイバー２０４の光路２０６によりレチクルパターン２２に光を提供するために、励起されても良い。照明素子２００からの光は、レチクルパターン２２を照らすために、蛍光性ファイバー１５２からの光と組み合わされても良い。
【００６８】
図８Aを参照すると、照明素子２１０が備わり、LED２１２、ブラックジャケット・ファイバー２１６の直径の約半分の直径を持つクリアファイバー２１４、およびブラックジャケット・ファイバー２１６の直径の約半分の直径を持つ蛍光性ファイバー１５２を含む。LED２１２は適切なファスナーおよび／またはエポキシによってクリアファイバー２１４に取り付けられる。クリアファイバー２１４および蛍光性ファイバー１５２は、UV接着剤を用いて一緒に結合され、それからカプラー２１８に挿入されても良い。カプラー２１８は、クリアファイバー２１４および蛍光性ファイバー１５２を受ける内径を含むポリカーボネートカプラーであっても良い。ブラックジャケット・ファイバー２１６は、適切なファスナーおよび／またはエポキシによって、クリアファイバー２１４および蛍光性ファイバー１５２の両方の端部に隣接されても良い。カプラー２１８は、ブラックジャケット・ファイバー２１６に対してクリアファイバー２１４および蛍光性ファイバー１５２を適切に配置するために使われる。
【００６９】
ブラックジャケット・ファイバー２１６は、ブラックジャケット・ファイバー２１６の長さに沿って伸びる光路２２０および真っ暗な壁２２２含む。
【００７０】
操作中に、LED２１２からの光は、クリアファイバー２１４の長さに沿って伝達され、ブラックジャケット・ファイバー２１６の光路２２０内で受けられても良い。レチクルパターン２２を照らすために、ブラックジャケット・ファイバー２１６はそれから、レチクルパターン２２へLED２１２からの光を導いても良い。しかし、蛍光性ファイバー１５２がレチクルパターン２２を照らすことができるのに十分な周辺光が存在する場合、蛍光性ファイバー１５２は、レチクルパターン２２が蛍光性ファイバー１５２からの光によって照らされるように、ブラックジャケット・ファイバー２１６の光路２２０を通して光を導く。トリチウムランプ１６４は蛍光性ファイバー１５２に取り付けられても良いし、LED２１２および／または蛍光性ファイバー１５２と連動して使用されても良いし、或いは代替的に、光路２２０を照らすために、LED２１２および蛍光性ファイバー１５２と独立して使用されても良い。
【００７１】
LED２１２およびクリアファイバー２１４からの光を使って、或いは蛍光性ファイバー１５２からの光を使ってレチクルパターン２２を照らすために、ブラックジャケット・ファイバー２１６は連結ファイバー（すなわち、蛍光性ファイバー１５２およびクリアファイバー２１４）からの出力を平行にする。上述したように、ブラックジャケット・ファイバー２１６は、クリアファイバー２１４または蛍光性ファイバー１５２からの光のどちらかを使ってレチクルパターン２２を照らし、それに依存して光源はより大きな照明を含む。前に記載した方式でクリアファイバー２１４および蛍光性ファイバー１５２を連結すると、蛍光性ファイバー１５２の前方照明を除去できる。特に、この連結技術により、クリアファイバー２１４からの望ましくない光（LED２１２によって照らされるとき）が蛍光性ファイバー１５２によって吸収されるのを防ぎ、これから蛍光性ファイバー１５２の前方照明を除去できる。このような前方照明は、たとえば、それが光を反射し、使用者の位置を同定するとき、戦術行動においては望ましくない
【００７２】
図８Ｂを参照すると、照明素子２１１が備わり、ブラックジャケット・ファイバー２１７、カプラー２１８、および蛍光性ファイバー１５２を含む。蛍光性ファイバー１５２は、ブラックジャケット・ファイバー２１７の直径にほぼ等しい直径を持っていても良く、ブラックジャケット・ファイバー２１７に選択的光を選択的に供給する。カプラー２１８は、蛍光性ファイバー１５２を受ける内径を含むポリカーボネートカプラーであっても良い。ブラックジャケット・ファイバー２１７は、適切なファスナーおよび／またはエポキシ接着剤によって、蛍光性ファイバー１５２の両方の端部へ隣接されても良い。カプラー２１８は、ブラックジャケット・ファイバー２１７に対して蛍光性ファイバー１５２を適切に配置するために使われても良い。
【００７３】
ブラックジャケット・ファイバー２１７は、真っ暗な壁２２３およびブラックジャケット・ファイバー２１７の長さに沿って伸びる光路２２１を含む。
【００７４】
操作中に、蛍光性ファイバー１５２からの光は、ブラックジャケット・ファイバー２１７の光路２２１内に受けられても良い。ブラックジャケット・ファイバー２１７はそれから、レチクルパターン２２を照らすために、ファイバー１５２からレチクルパターン２２へ光を導いても良い。トリチウムランプ１６４は、蛍光性ファイバー１５２に取り付けられても良く、蛍光性ファイバー１５２と連動して使われても良い。
【００７５】
各光源が光をブラックジャケット・ファイバー２１７に提供している場合、ブラックジャケット・ファイバー２１７は、連結した蛍光性ファイバー１５２およびトリチウムランプ１６４からの出力を平行にしても良い。ブラックジャケット・ファイバー２１７は、ファイバー１５２および／またはトリチウムランプ１６４によって提供される光を使って、レチクルパターン２２を照らす。
【００７６】
図９を参照すると、照明素子２２４が備わり、LED２２６、クリアファイバー２２８、ボールレンズ２３０、および。ブラックジャケット・ファイバー２３２を含む。LED２２６からの光はクリアファイバー２２８の長さによって受けられ、クリアファイバー２２８の長さに沿って導かれるように、適切なファスナーおよび／またはエポキシ接着剤によって、LED２２６はクリアファイバー２２８に取り付けられる。クリアファイバー２２８が蛍光性ファイバー１５２に隣接して配置されるように、クリアファイバー２２８はカプラー２３４によって蛍光性ファイバー１５２に連結される。クリアファイバー２１４および蛍光性ファイバー１５２の両方が、ブラックジャケット・ファイバー２３２の半分の直径を持っても良い。ボールレンズ２３０の直径は、ブラックジャケット・ファイバー２３２と同じであっても良い。照明素子２１０に関して上述したように、カプラー２３４は同様に機械加工したポリカーボネートであっても良い。
【００７７】
ボールレンズ２３０はクリアファイバー２２８および蛍光性ファイバー１５２の両方に隣接されても良い。クリアファイバー２２８およびLED２２６からの、または蛍光性ファイバー１５２からの光が単独で、どちらか大きい光源（すなわち、周辺対LED２２６）に基づいてボールレンズ２３０を通って進むことができるように、ファイバー１５２からの出力はボールレンズによって平行にされる。たとえば、周辺光の条件が低く、そのため、LED２２６が蛍光性ファイバー１５２によって集められる周辺光より大きい場合、ボールレンズ２３０は、蛍光性ファイバー１５２から光を導くよりむしろ、LED２２６およびクリアファイバー２２８からボールレンズ２３０を通って光を導く。丸いボールレンズ２３０内にそのような光の内部反射のおかげで、ボールレンズ２３０は、クリアファイバー２２８および蛍光性ファイバー１５２から光を平行にする。
【００７８】
ボールレンズ２３０は、実質的に１．９より大きい屈折率を持つクリアボールレンズであっても良い。ボールレンズ２３０は、LED２２６および蛍光性ファイバー１５２によって生じる波長範囲に適合する反射防止コーティングを有しても良い。この反射防止コーティングは蛍光性ファイバー１５２の前方照明を除去しても良い。ボールレンズ２３０は、クリアファイバー２２８および蛍光性ファイバー１５２に取り付けられることに加えて、カプラー２３４およびブラックジャケット・ファイバー２３２に取り付けられても良い。トリチウムランプ１６４は蛍光性ファイバー１５２に取り付けられても良く、またLED２２６および／または蛍光性ファイバー１５２と連動して使われても良いし、或いは代替的に、光路２３８を照らすために、LED２２６および／または蛍光性ファイバー１５２と独立して使われても良い。
【００７９】
クリアファイバー２２８および蛍光性ファイバー１５２から受けられる光の強度に依存して、ボールレンズ２３０は、ボールレンズ２３０を通ってブラックジャケット・ファイバー２３２へ光を導く。ブラックジャケット・ファイバー２３２は、LED２２６または蛍光性ファイバー１５２のどちらかからレチクルパターン２２へ光を協同して導く、真っ暗な壁２３６および光路２３８を含む。
【００８０】
図１０を参照すると、照明素子２４０が備わり、LED２４２、ファスナーおよび／またはエポキシによってLED２４２に取り付けられるファイバー２４４、ブラックジャケット・ファイバー２４６、およびカプラー２４８を含む。カプラー２４８はファイバー２４４、ブラックジャケット・ファイバー２４６、および蛍光性ファイバー１５２と結合する。蛍光性ファイバー１５２の直径はブラックジャケット・ファイバー２４６の直径と同じであっても良い。
【００８１】
LED２４２はファイバー２４４へ光を供給し、一般にカプラー２４８内にある蛍光性ファイバー１５２およびブラックジャケット・ファイバー２４６の連結部の方へ、ファイバー２４４によって導かれる。蛍光性ファイバー１５２は、ファイバー２４４によりLED２４２から光を受け、ブラックジャケット・ファイバー２４６へ光を導く傾斜面２５０を持つ端部を含む。ブラックジャケット・ファイバー２４６は、光路２５２および真っ暗な壁２５４を含む。蛍光性ファイバー１５２の傾斜面２５０から受けられる光は、ブラックジャケット・ファイバー２４６の光路２５２を通って導かれ、ブラックジャケット・ファイバー２４６の真っ暗な壁２５４によっての光路２５２内に含まれる。
【００８２】
傾斜面２５０は、ファイバー２４４を経てLED２４２からブラックジャケット・ファイバー２４６へ光を反射するか、或いは蛍光性ファイバー１５２からブラックジャケット・ファイバー２４６へ光を導く。その結果、LED２４２からの光が蛍光性ファイバー１５２からの光より大きければ、LED２４２からの光はブラックジャケット・ファイバー２４６の光路２５２を通って伝達される。しかし、蛍光性ファイバー１５２がレチクルパターン２２を照らすことができるくらい十分な周辺光が存在するなら、蛍光性ファイバー１５２はブラックジャケット・ファイバー２４６の光路２５２を通って光を導く。ブラックジャケット・ファイバー２４６の真っ暗な壁２５４のおかげで、光は、一般にブラックジャケット・ファイバー２４６内に含まれ、レチクルパターン２２を照らすためにレチクルパターン２２へ導かれる。トリチウムランプ１６４は蛍光性ファイバー１５２に取り付けられても良く、LED２４２および／または蛍光性ファイバー１５２と連動して使用されても良いし、或いは代替的に、光路２５２を照らすためにLED２４２および蛍光性ファイバー１５２と独立して使われても良い。
【００８３】
特に１１Aを参照すると、照明素子２５６が備わり、LED２５８、クリアファイバー２６０、光路２６３を含むブラックジャケット・ファイバー２６２、およびカプラー２６４を含む。LED２５８は、ファスナーおよび／またはエポキシによってクリアファイバー２６０に取り付けられ、クリアファイバー２６０に光を提供する。クリアファイバー２６０および蛍光性ファイバー１５２からの出力は、レチクルパターン２２を照らすためにブラックジャケット・ファイバー２６２へ導かれる。
【００８４】
カプラー２６４は、機械加工または成型された２つのオフセット穴を含む。これらのオフセット穴は、３つのファイバー（クリアファイバー２６０、蛍光性ファイバー１５２およびブラックジャケット・ファイバー２６２）を配置する。光路２６３を通って伝わる光の約５０％がクリアファイバー２６０から来て、残りは蛍光性ファイバー１５２から来る。蛍光性ファイバー１５２はクリアファイバー２６０より大きな直径を含み、それによって、蛍光性ファイバー１５２が周辺光を吸収しレチクルパターン２２をもっと明るくすることができる。クリアファイバー２６０、カプラー２６４および蛍光性ファイバー１５２の直径の例外として、照明素子２５６は照明素子２１０（図８）に類似する。その結果、照明素子２５６の操作の詳細な記載は前述の通りである。
【００８５】
上述したように、種々の照明素子２００，２１０，２１１，２２４，２４０，２５６は、周辺条件に関係なく、レチクルパターン２２を照らすのに十分な光量でレチクルパターン２２に供給するために使用されても良い。前述の照明素子２００、２１０、２１１、２２４、２４０、２５６の各々において、LED２０２、２１２、２２６、２４２、２５８からの光または蛍光性ファイバー１５２からの光は、レチクルパターン２２を照らすために、レチクルパターン２２に導かれる。各素子２００、２１０、２１１、２２４、２４０、２５６において、光路２０６，２２０，２２１，２３８，２５２，２６３によって、光は光源からレチクルパターン２２へ伝わる。ファイバー２０４，２１６，２１７，２３２，２４６，２６２は、光源からレチクルパターン２２へ的確に光を伝える任意の適切なファイバーであっても良い。それぞれの照明素子２００または２１１，２１０，２１１，２２４，２４０，２５６のファイバー２０４，２１６，２１７，２３２，２４６，２６２は、レチクルパターン２２に対して配置される。光源からの光は、一般にレチクルパターン２２の中心に向かって、光路２０６，２２０，２２１，２３８，２５２，２６３から導かれる。照明素子２００，２１０，２１１，２２４，２４０，２５６からの光は、レチクルパターン２２の中心照準点２７４（図２０，２３，３４，３６、および４０）を照らすのに一般に十分であるが、全体のレチクルパターン２２またはレチクルパターン２２の少なくとも一部を強めて照らすために、レチクルパターン２２に隣接して第２の光源が配置されても良い。
【００８６】
図１１B−１１Eを参照すると、中心照準点２７４がプリズム８８に刻まれない場合、蛍光性ファイバー１５２および種々の照明素子２００，２１０，２１１，２２４，２４０，２５６は、中心照準点２７４を照らすためにファイバーポスト２７５に連結されても良い。たとえば、ファイバーポスト２７５は、その末端部２７７で特定の形状を持つ細長いファイバーであっても良い。ある形態において、ファイバーポスト２７５の末端部２７７は、中心照準点２７４を作るために特定の照明素子２００，２１０，２１１，２２４，２４０，２５６から受けられる光が傾斜面２７９（すなわち、「D」形状、図１１Cおよび１１E）を照らすように、傾斜面２７９を含む。別の形態において、傾斜面２７９は１対の傾斜面を含んでも良い。どちらの形態においても、ファイバーポスト２７５は共同出願US特許5,924,234に開示されたタイプであっても良く、その開示は参照することにより本明細書に含まれる。
【００８７】
蛍光性ファイバー１５２がファイバーポスト２７５に連結される場合、ファイバー１５２は照明末端部２７７からファイバーポスト２７５の対向端部で取り付けられても良い。照明素子２００，２１０，２１１，２２４，２４０，２５６の１つは、ファイバーポスト２７５に取り付けられる場合、それぞれの照明素子２００，２１０，２１１，２２４，２４０，２５６のファイバー２０４，２１６，２１７，２３２，２４６，２６２は、照明末端部２７７からファイバーポスト２７５の対向端部で同様に取り付けられても良い。
【００８８】
特に図１２〜３９を参照すると、エレクトロルミネッセント素子（すなわち、LED、エレクトロルミネッセント・フィルムなど）を含む一連の照明素子が、レチクルパターン２２を照らすために、照明素子２００，２１０，２１１，２２４，２４０，２５６のファイバー２０４，２１６，２１７，２３２，２４６，２６２からの出力と連動して使用するために提供される。図１２〜３９の照明素子は、照明素子２００，２１０，２１１，２２４，２４０，２５６のファイバー２０４，２１６，２１７，２３２，２４６，２６２のいずれかと連動して使われても良いが、図１２〜３９の照明素子は、便宜のために照明素子２００のファイバー２０４と関連するように、以下に記載され図に示される。
【００８９】
図１２および１３を参照すると、照明素子２０６が備わりLED２６８および光学素子２７０を含む。LED２６８は光学素子２７０およびミラープリズム８８の両方または１つに取り付けられ、光学素子２７０に光を供給する。光学素子２７０は光学プラスチック素子であっても良いし、LED２６８からミラープリズム８８の方へ光を均等に分散する分散面であっても良い。
【００９０】
LED２６８および光学素子２７０の間で協働することにより、ミラープリズム８８は、充分な光を与えられ、ミラープリズム８８の十分以上の面積を与えられる。スタジア線２７２を含むレチクルパターン２２を十分に照らすために（図２０、２３，３４，３６および４０）、照明素子２００からのファイバー２０４はミラープリズム８８の中心照準点２７４の上に中心が置かれる。その結果、ファイバー２０４からの光が一般に中心照準点２７４へ導かれ、スタジア線２７２を含むレチクルパターン２２全体を十分に照らさない。光学素子２７０は実質的にレチクルパターン２２全体をカバーする形状を含むので、LED268からの光は、光学素子２７０中に散乱され、レチクルパターン２２全体を十分に照らし、レチクルパターン２２の中心照準点２７４およびスタジア線２７２の両方を含む。
【００９１】
図１４を参照すると、照明素子２７６が備わり、LED２７８、光学素子２８０、およびファイバー２８２を含む。LED２７８は光学素子２８０およびミラープリズム８８の１つに取り付けられ、光学素子２８０に光を供給する。スタジア線２７２および中心照準点２７４を含むレチクルパターン２２を完全に照らすために、光学素子２８０は、LED２７８から放射される光をミラープリズム８８へ等しく分散する分散面２７９を含んでも良い。LED２７８からの迷光がファイバー２８２によって捕捉され、一般にミラープリズム８８およびレチクルパターン２２の方へ導かれるように、ファイバー２８２はLED２７８に取り付けられても良い。ファイバー２８２の出力は、中心照準点２７４をさらに照らすために、一般に中心照準点２７４上に配置されても良いし、照明素子２００のファイバー２０４からの光と組み合わされても良い。
【００９２】
図１５を参照すると、照明素子２８４が備わり、LED２８６および光学素子２８８を含む。LED２８６が光学素子２８８へ導かれ光学素子２８８によって受けられるように、LED２８６は光学素子２８８と離間している。光学素子２８８はミラープリズム８８に取り付けられ、全レチクルパターン２２にわたってLED２８６からの放射光の焦点分布を増大する平凹レンズを含んでも良い。照明素子２６６、２７６に関して上述したように、レチクルパターン２２全体を照らすことにより、スタジア線２７２および中心照準点２７４を照らすこともできる。中心照準点２７４は照明素子２００のファイバー２０４によってさらに照らされても良い。
【００９３】
光学素子２８８は平凹レンズであるとして記載されているが、光学素子２８８は、光散乱分散面２９０を持つ平凹レンズを代替的に含む（図１６）。スタジア線２７２および中心照準点２７４を十分に照らすために、分散面２９０はLED２８６から光を受け、レチクルパターン２２全体にわたって光を散乱する。図１５の照明素子２８４と同様に、光学素子２８８は、分散面２９０を含み、照明素子２００のファイバー２０４と連動して使用されても良い。
【００９４】
図１７および１８を参照すると、照明素子２９２が備わり、LED２９４およびレンズ２９６を含む。LED２９４からの光がレンズ２９６によって受けられように、LED２９４はレンズ２９６に取り付けられても良い。レンズ２９６はミラープリズム８８に取り付けられても良く、レンズ２９６を通ってLED２９４から一般にミラープリズム８８に形成されたレチクルパターン２２へ光を導く1対の傾斜面２９８を含む。
【００９５】
照明素子２９２は、中心照準点２７４を直接に照らすために、照明素子２００のファイバー２０４または２２３は一般にレンズ２９６を通って受けられるように、照明素子２００と連動して使われても良い。スタジア線２７２および中心照準点２７４を含むレチクルパターン２２を十分に照らすために、LED２９４からの光は照明素子２００のファイバー２０４と連動して使われても良い。
【００９６】
図１９を参照すると、照明素子３０６が備わり、LED３０８および光学素子３１０を含む。LED３０８は光学素子３１０から離間し、光学素子３１０に光を供給する。光学素子３１０はミラープリズム８８に取り付けられ、レチクルパターン２２全体にわたってLED３０８からの放射光の焦点分布を増大させる凸レンズであっても良い。照明素子２６６に関して上述したように、レチクルパターン２２全体にわたって光を導くことによって、レチクルパターン２２のスタジア線２７２および中心照準点２７４を照らす。中心照準点２７４は照明素子２００のファイバー２０４によってさらに照らされても良い。
【００９７】
図２０および２１を参照すると、照明素子３１２が備わり、LED３１４および光学素子３１６を含む。LED３１４は光学素子３１６および／またはミラープリズム８８に取り付けられても良い。スタジア線２７２および中心照準点２７４を含むレチクルパターン２２を照らすために、LED３１４は光学素子３１６に光を供給する。
【００９８】
光学素子３１６は、レチクルパターン２２全体にわたってLED３１４から放射される光を分散するガラスディフューザーであっても良い。光学素子３１６の外表面は、内部反射を補助するために反射コーティングを塗られても良い。照明素子２００が中心照準点２７４をさらに照らすことができるように、照明素子３１２は照明素子２００と連動して使用されても良い。
【００９９】
図２２を参照すると、LED３２０からの光がスタジア線２７２および中心照準点２７４を含むレチクルパターン２２を十分に照らすことができるように、照明素子３１８が備わり、所定の距離だけミラープリズム８８と離間したLED３２０を含む。照明素子２００のファイバー２０４が中心照準点２７４へ導かれ、中心照準点２７４をさらに照らすために、照明素子３１８は照明素子２００と連動して使用されても良い。
【０１００】
図２３および２４を参照すると、照明素子３２２が備わり、LED３２４および光学素子３２６を含む。LED３２４は、光学素子３２６および／またはミラープリズム８８に取り付けられても良いし、レチクルパターン２２を照らすために光学素子３２６に光を提供する。光学素子３２６は、LED３２４からレチクルパターン２２へ放射される光を分散する鏡面仕上げの上面３２７を持つガラスディフューザーであっても良い。光学素子３２６の外表面は、光学素子３２６の内部反射を補助するために反射コーティングを塗られても良い。照明素子２００のファイバー２０４が中心照準点２７４さらに照らすことができるように、照明素子３２２は照明素子２００と連動して使用されても良い。
【０１０１】
図２５を参照すると、照明素子３２８が備わり、LED３３０および反射器３３２を含む。LED３３０は反射器３３２から離間し、レチクルパターン２２を照らすために反射器３３２に光を供給する。レチクルパターン２２を照らすためにLED３３０から一般にミラープリズム８８へ受けられる光を導くために、反射器３３２は凹面形状を含んでも良い。照明素子２００のファイバー２０４が中心照準点２７４を照らすことができるように、照明素子３２８は照明素子２００と連動して使用されても良い。
【０１０２】
図２６を参照すると、照明素子３３４が備わり、LED３３６、ファイバー３３８および光学素子３４０を含む。LED３３６はファイバー３３８に取り付けられ、それはLED３３６から一般に光学素子３４０へ導く。光学素子３４０は、ファイバー３３８によりLED３３６から光を受け、スタジア線２７２および中心照準点２７４を照らすために、一般にレチクルパターン２２へ光を導く。レチクルパターン２２の全体にわたってLED３３６から光を均等に分配するために粗面３４１であると同様に、光学素子３４０はガラスまたはプラスチックから形成されても良いし、任意の形状を含んでも良い。照明素子２００のファイバー２０４が中心照準点２７４を照らすことができるように、照明素子３３４は照明素子２００と連動して使用されても良い。
【０１０３】
図２７を参照すると、照明素子３４２が備わり、LED３４４および直角プリズム３４６を含む。直角プリズム３４６はミラープリズム８８に取り付けられても良いが、LED３４４は直角プリズム３４６に取り付けられても良い。直角プリズム３４６がレチクルパターン２２の全領域にわたって光を導くことができるように、LED３４４は直角プリズム３４６に光を供給する。LED３４４からの直角プリズム３４６によって受けられる光のほとんどがレチクルパターン２２へ導かれるということを保証するために、直角プリズム３４６の４側面は、直角プリズム３４６の内部反射率を増大するためのミラーコーティングを含む。
【０１０４】
直角プリズム３４６は、LED３４４からの光が直角プリズム３４６に入ることができるマスクを含んでも良い。直角プリズム３４６からの光は、スタジア線２７２および中心照準点２７４を含むレチクルパターン２２の十分な照明が可能なミラープリズム８８によって受けられる。照明素子２００のファイバー２０４が中心照準点２７４を照らすことができるように、照明素子３４２は照明素子２００と連動して使用されても良い。
【０１０５】
図２８を参照すると、照明素子３４８が備わり、LED３５０および光学素子３５２を含む。レチクルパターン２２を照らすときに光学素子３５２によって使用するために、LED３５０は、ハーフボールレンズ３５２および／またはミラープリズム８８に取り付けられ、ハーフボールレンズ３５２へ光を提供する。光学素子３５２は、LED３５０から放射される光を等しく分散するハーフボールレンズ３５２であっても良いし、ハーフボールレンズ３５２の内部反射を補助する反射コーティングを塗布された外表面を含んでも良い。スタジア線２７２および中心照準点２７４を含むレチクルパターン２２を十分に照らすために、ハーフボールレンズ３５２は、光がLED３５０から受けられるくらい十分なサイズを含む。照明素子２００のファイバー２０４がさらに中心照準点２７４を照らすことができるように、照明素子３４８は照明素子２００と連動して使われても良い。
【０１０６】
図２９を参照すると、照明素子３５４が備わり、LED３５６および直角プリズム３５８を含む。レチクルパターン２２を照らすときに直角プリズム３５８によって使用するために、LED３５６は、直角プリズム３５８に取り付けられても良く、直角プリズム３５８に光を提供する。直角プリズム３５８はミラープリズム８８に取り付けられても良い。直角プリズム３５８の４つの側面は、LED３５６からの光がレチクルパターン２２へ導かれることを保証するために直角プリズム３５８の内部反射率を増加するためにミラーコーティングを含んでも良い。LED３５６と接触して直角プリズム３５８の側面は、LED３５６からの光が直角プリズム３５８に入ることができるようにマスクを含んでも良い。照明素子２００のファイバー２０４が中心照準点２７４を照らすことができるように、照明素子３５４は照明素子２００と連動して使われても良い。
【０１０７】
図３０を参照すると、照明素子３６０が備わり、LED３６２およびハーフボールレンズ３６４を含む。レチクルパターン２２を照らすために、LED３６２は、ハーフボールレンズ３６４に取り付けられても良いし、ハーフボールレンズ３６４に光を供給しても良い。LED３６２からレチクルパターン２２へ光を導くために、ハーフボールレンズ３６４はミラープリズム８８に取り付けられても良い。ハーフボールレンズの外表面は、内部反射率を補助するために反射コーティングを塗られても良い。照明素子２００のファイバー２０４が中心照準点２７４を照らすように、照明素子３６０は照明素子２００と連動して使われても良い。
【０１０８】
図３１を参照すると、照明素子３６６が備わり、LED３６８および光学素子３７０を含む。LED３６８は、ミラープリズム８８から一般に光学素子３７０へ導かれる光を有するミラープリズム８８に実装された面であっても良い。光学素子３７０は、レチクルパターン２２を等しく照らすために、光線経路を分配し広げる放物面鏡、球面鏡、或いは凹球面鏡であっても良い。照明素子２００のファイバー２０４は中心照準点２７４を照らすことができるように、照明素子３６６は照明素子２００と連動して使われても良い。
【０１０９】
図３２を参照すると、照明素子３７２が備わり、広視野角を持つLED３７４を使うことにより、LED３７４はレチクルパターン２２を十分に照らすことができる。照明素子２００のファイバー２０４が中心照準点２７４を照らすことができるように、照明素子３７２は照明素子２００と連動して使われても良い。
【０１１０】
図３３を参照すると、照明素子３７６が備わり、クリアレンズ３８０に実装されたLED３７８を含む。レンズ３８０はミラープリズム８８に実装されても良いし、LED３７８から一般にミラープリズム８８に導いても良い。ミラープリズム８８へ光を導くことにより、LED３７８およびレンズ３８０は、スタジア線２７２および中心照準点２７４を含むレチクルパターン２２を十分に照らすことができる。照明素子２００のファイバー２０４が中心照準点２７４を照らすことができるように、照明素子３７６は照明素子２００と連動して使われても良い。
【０１１１】
図３４を参照すると、照明素子３８２が備わり、ミラープリズム８８も実装される光学素子３８４を含む。光学素子３８４は、ミラープリズム８８の面に光学接着剤で接着された、円形チップカットしたエレクトロルミネッセント・フラットフィルム・ランプであっても良い。光学素子３８４は、レチクルパターン２２にわたって種々の色で等しく光を分散する。照明素子２００のファイバー２０４が中心照準点２７４を照らすことができるように、照明素子３８２は照明素子２００と連動して使われても良い。
【０１１２】
図３６および３７を参照すると、照明素子３８６が備わり、エレクトロルミネッセント・ワイヤランプ３８８および光学素子３９０を含む。エレクトロルミネッセント・ワイヤランプ３８８からレチクルパターン２２へ光を導くために、光学素子３９０は、ミラープリズム８８に取り付けられるガラスディフューザーであっても良いし、エレクトロルミネッセント・ワイヤランプ３８８から光を受けても良い。ガラスディフューザーは、エレクトロルミネッセント・ワイヤランプ３８８から放射された光を等しく分散する鏡面仕上げの上面３８９を含み、光学素子３９０の内部反射率を補助するために反射コーティングを塗られた外表面を含んでも良い。照明素子２００のファイバー２０４が中心照準点２７４を直接に照らすことができるように、照明素子３８６は照明素子２００と連動して使われても良い。
【０１１３】
図３８および３９を参照すると、照明素子３９２が備わり、ミラープリズム８８に実装された鋳造アルミニウム円形ブロック３９４を含む。機械加工／鋳造ブロック３９４は窪み３９５を持ち、それは研磨されるか、或いは反射コーティングを塗られる。LED３９８は機械加工／鋳造ブロック３９４の側面でドリル穴に挿入される。LED３９８からの光は、光路３９７を通って機械加工／鋳造ブロック３９４の窪み３９５へ導かれ、機械加工／鋳造ブロック３９４の磨き面または塗布面から反射され、スタジア線２７２を照らすために一般にレチクルパターン２２へ導かれる。照明素子３９２は、LED３９８およびファイバー２０４から一般にレチクルパターン２２へ放射された光を分散するときに補助するために、窪み３９５内に配置された紫外線接着剤４０１をさらに含んでも良い。
【０１１４】
照明素子２００のファイバー２０４が中心照準点２７４を照らすことができるように、照明素子３９２は照明素子２００と連動して使われても良い。照明素子３９２が照明素子２００と連動して使われる場合は、ジャケットファイバー２０４の一端部は、クリアファイバー３９６を暴露するために取り除かれても良い。照明素子２００のファイバー２０４から中心照準点２７４へ光を照らすために、クリアファイバー３９６はアルミニウム円形モールド３９４を通して伸びても良い。紫外線接着剤４０１に拡散されたクリアファイバー３９６からの光を防ぐために、クリアファイバー３９６は不透明なコーティング或いは反射コーティングを塗られても良い。
【０１１５】
図６を参照すると、照明系１８と共に使用するための制御系１７２が備わり、回転スイッチ、スリーブ、またはダイヤル１７４、バッテリー１６７のような電源、および光センサおよび／またはフォトダイオードを含む。制御系１７２は回転素子１７４と連絡しても良く、それは、ハウジング１２に対して回転素子１７４を回転することによって使用者が照明系１８の操作を制御することができる複数の場所を含んでも良い。たとえば、回転素子１７４は、照明素子１８が蛍光性ファイバー１５２によって単独でレチクルパターン２２へ光を供給するような位置に動かされて良い（すなわち、回転素子１７４は「ＯＦＦ」の位置にある）。代替的に、回転素子１７４は、図７〜３９に示される任意の形態を使ってLED１６２と連動して、光が蛍光性ファイバー１５２を経由してレチクルパターン２２へ供給されるように位置合わせされても良い。光学照準器１０が使用される環境条件に基づいてレチクルパターン２２に供給される光量を自動的に調節するために、光センサーおよび／またはフォトダイオード１７８が使われ、回転素子１７４に位置合わせされても良い。回転素子１７４は、使用者がLED１６２、トリチウムランプ１６４、光センサおよび／またはフォトダイオード、およびOFF位置の間で選択することができる任意の位置で位置合わせされても良く、それによって、蛍光性ファイバー１５２によって供給されるものだけにレチクルパターン２２へ供給される光を制限する、
【０１１６】
バッテリー１６７はLED１６２および光センサーおよび／またはフォトダイオード１７８に電源を供給しても良い。バッテリー１６７を使いきったら、レチクルパターン２２を照らすために蛍光性ファイバー１５２と連動して、トリチウムランプ１６４を使っても良い。バッテリー１６７が低ければ、使用者に低バッテリーを知らせるために、制御系１７２の最初のスタート時に、制御系１７２を所定数のパルスで点滅させても良い。
【０１１７】
制御系１７２は、使用者が照明系１８を制御できるon/offスイッチであるテープスイッチ１８０を含んでも良い。テープスイッチ１８０が「ON」位置にあるとき、制御系１７２がレチクルパターン２２に回転素子１７４の位置と一致した光量を供給するように、テープスイッチ１８０は制御系１７２と連絡していても良い。たとえば、蛍光性ファイバー１５２と連動して、回転素子１７４は、LED１６２がレチクルパターン２２に光を供給する位置にある場合、テープスイッチ１８０を「ON」位置に変えることによって、LED１６２および蛍光性ファイバー１５２を使ってレチクルパターン２２を照らす。テープスイッチ１８０を「OFF」位置に押圧することによって、制御系１７２をシャットダウンし、レチクルパターン２２へ供給される光を蛍光性ファイバー１５２およびトリチウムランプ１６４によって供給されるものだけに制限する。
【０１１８】
回転素子１７４は、回転素子１７４は種々のセッティングと関連した抵抗システムおよび／またはパルス幅変調回路を含んでも良い。たとえば、回転素子１７４がパルス幅変調（PWM）制御を使うように位置合わせされるとき、制御系１７２によってLED１６２へ供給される信号に依存して、LED１６２の全照明の０％〜１００％間でLED１６２によって供給される光量を制御するために、PWM信号はLED１６２へ供給される。この結果各セッティングはLED１６２へ供給されるPWM信号を２０％までに増加させる。回転素子１７４を種々の位置の間で回転するとき、LED１６２の強度は増大し、レチクルパターン２２の照明は同様に増大する。
【０１１９】
PWM制御の使用に加えて、回転素子１７４は、抵抗、ハーフ効果、レードスイッチ、または磁気スイッチシステムを含んでも良い。この結果、回転素子１７４がハウジング１２に対して回転するとき、LED１６２の照明は直接に変調され、増加／減少する。そのような方法でLED１６２の照明を制御することにより、LED１６２のコントロールを何回でも行うことができ、実質的に任意の照度でその結果レチクルパターン２２を照らすことができる。
【０１２０】
図４０および４１を参照すると、レチクル２２は表示（ディスプレイ）１８２と連動して示される。表示１８２は、制御系１７２と連絡していて、制御系１７２から指示を受けても良い。データ表示１８２は前述の照明素子２００、２１０、２１１、２２４、２４０、２５６のいずれ、および／または図１２〜３９に示された照明素子のいずれとも連動して使われても良い。使用者がレチクル２２に隣接して表示された情報を見ることができるように、制御系１７２は、たとえば、座標、レンジ、テキストメッセージ、および／または目標識別情報のようなデータを表示１８２に供給しても良い。表示１８２はレンジに関係した情報を提供する場合、光学照準器１０はそのような情報を提供するレンジファインダー（示されていない）を含んでも良い。光学照準器１０の使用に像を伝達するときに使うために、表示１８２はLED、７区分表示、または液晶表示（LCD）または他のデジタル接眼レンズ素子を含んでも良い。
【０１２１】
表示１８２は、プリズム８８の表面からコーティングを除去することによって形成されても良い。たとえば、光が材料の除去されたプリズム８８−露出領域−を通って進むことができるように、アルミニウムがプリズムの表面から取り除かれても良い。所定の色は通過することが制限されるが、殆どの周辺光がそこを通って進むことができるように、露出領域は２色性コーティングで塗られても良い。たとえば、情報が赤色でプリズム８８に表示される場合、使用者は露出領域においても光学照準器１０を通して見ることができるように、２色性コーティングによって、赤色と異なる波長の色はプリズム８８を通過することができる。データが赤色で表示され、赤が２色性コーティングを通過することができない場合、そのデータは露出領域において表示され見れても良い。
【０１２２】
外部入力またはポートが光学照準器１０のハウジング１２に含まれても良い。２次または３次機器が表示１８２に種々の情報を伝達し表示することができるように、たとえば、入力またはポートはUSB、ファイヤワイヤ、イーサーネット、無線、赤外線、ラピッドファイル、または任意のカスタム・コネクションであることも可能である。そのような２次機器はレーザー測距器、暗視スコープ、ターミナル・イメージング・システム、GPS、デジタルコンパス、無線衛星データ通信、軍隊通信回線、またはフレンド／フォウ信号または補助電源であっても良い。
【０１２３】
１組の弾性電気接続器１８３は、バッテリー１６７から電源を提供し、制御モジュール１６５から回転素子１７４へ伝えるために、供給されても良いし、回転素子１７４から制御モジュール１６５の照明セッティング信号の伝達ができても良く、それはLED１６２を制御する。上記形態によって、光学照準器１０、アイピース６４、およびボディ４２のシールされた機構的分離ポイント間で線をつなぐ必要はなく、アイピース６４およびボディ４２の間の固体電気接続が可能となる。
【図１】
2010528251.tif 000003
【図２】
2010528251.tif 000004
【図３】
2010528251.tif 000005
【図４Ａ】
2010528251.tif 000006
【図４Ｂ】
2010528251.tif 000007
【図５Ａ】
2010528251.tif 000008
【図５Ｂ】
2010528251.tif 000009
【図６】
2010528251.tif 000010
【図７】
2010528251.tif 000011
【図８Ａ】
2010528251.tif 000012
【図８Ｂ】
2010528251.tif 000013
【図９】
2010528251.tif 000014
【図１０】
2010528251.tif 000015
【図１１Ａ】
2010528251.tif 000016
【図１１Ｂ】
2010528251.tif 000017
【図１１Ｃ】
2010528251.tif 000018
【図１１Ｄ】
2010528251.tif 000019
【図１１Ｅ】
2010528251.tif 000020
【図１２】
2010528251.tif 000021
【図１３】
2010528251.tif 000022
【図１４】
2010528251.tif 000023
【図１５】
2010528251.tif 000024
【図１６】
2010528251.tif 000025
【図１７】
2010528251.tif 000026
【図１８】
2010528251.tif 000027
【図１９】
2010528251.tif 000028
【図２０】
2010528251.tif 000029
【図２１】
2010528251.tif 000030
【図２２】
2010528251.tif 000031
【図２３】
2010528251.tif 000032
【図２４】
2010528251.tif 000033
【図２５】
2010528251.tif 000034
【図２６】
2010528251.tif 000035
【図２７】
2010528251.tif 000036
【図２８】
2010528251.tif 000037
【図２９】
2010528251.tif 000038
【図３０】
2010528251.tif 000039
【図３１】
2010528251.tif 000040
【図３２】
2010528251.tif 000041
【図３３】
2010528251.tif 000042
【図３４】
2010528251.tif 000043
【図３５】
2010528251.tif 000044
【図３６】
2010528251.tif 000045
【図３７】
2010528251.tif 000046
【図３８】
2010528251.tif 000047
【図３９】
2010528251.tif 000048
【図４０】
2010528251.tif 000049
【図４１】
2010528251.tif 000050
【国際調査報告】
2010528251.tif 000051
2010528251.tif 000052